(57)【特許請求の範囲】
【請求項１】
第１のＵＥにおいてワイヤレス通信ネットワークにおけるリレーデバイスを通したリレー接続を管理する方法であって、
リレーＵＥに、前記リレーＵＥを通じて前記ワイヤレス通信ネットワークへの接続を確立するよう要求するリレー検索メッセージを第２のＵＥから受信することと、
基地局に、前記第２のＵＥからの前記リレー検索メッセージを前記基地局に通知するメッセージを送信することと、
リレー関連付けプロシージャ開始メッセージを前記基地局から受信することと、前記リレー関連付けプロシージャ開始メッセージは、前記第２のＵＥとリレー関連付けプロシージャを開始するために前記基地局によって前記第１のＵＥが選択されたことを前記第１のＵＥに通知する、
を備え、
第２のＵＥ−リレー間のリンク品質の定期報告を要求するメッセージを前記基地局から受信することと、第２のＵＥ−リレー間のリンク品質の定期報告を要求する前記基地局からの前記メッセージに基づいて、第２のＵＥ−リレー間のリンク品質の定期報告を要求するメッセージを前記第２のＵＥに送信することと、
第２のＵＥ−リレー間のリンク品質の定期報告を要求する前記第２のＵＥへの前記メッセージに応答して、前記第２のＵＥから第２のＵＥ−リレー間のリンク品質に関する情報を含むメッセージを受信することと、前記第２のＵＥから受信された第２のＵＥ−リレー間のリンク品質に関する情報を含む前記メッセージに基づいて、第２のＵＥ−リレー間のリンク品質に関する情報を含むメッセージを前記基地局に送信することと、
別のリレー検索メッセージを送信することを含む、リレー検索プロシージャを再開始するよう前記第２のＵＥに指示するメッセージを前記第２のＵＥ−リレー間のリンク品質に応答して前記基地局から受信することと、
前記第２のＵＥに、前記リレー検索プロシージャを再開始するようそれに指示するメッセージを送信することと、
を備えることを特徴とする、方法。
【請求項２】
前記第２のＵＥのための前記リレーＵＥとなるよう求める要求を含むリレー関連付けメッセージを前記第２のＵＥに送信することをさらに備える、請求項１に記載の方法。
【請求項３】
前記第１のＵＥでサポートされるリレー容量または前記第１のＵＥにおけるＵＥリレー能力のうちの少なくとも１つを示すＵＥ能力情報メッセージを前記基地局に送ることをさらに備え、前記リレー容量は、同時にサポートされることができるいくつかのＵＥのうちの少なくとも１つまたはＭＢＭＳトラフィックリレーをサポートする能力を含む、請求項１に記載の方法。
【請求項４】
前記第２のＵＥが前記第１のＵＥを前記リレーデバイスとして選択したことを示す確認応答を前記第２のＵＥから受信することをさらに備える、または前記第２のＵＥのための前記リレーとなるよう求める、前記第１のＵＥからの前記要求を拒否するメッセージを前記第２のＵＥから受信することをさらに備える、請求項１に記載の方法。
【請求項５】
前記第２のＵＥからの前記リレー検索メッセージは、ＰｒｏＳｅダイレクトディスカバリメッセージであり、少なくとも第２のＵＥの識別情報（ＩＤ）を含み、前記基地局への前記メッセージは、前記第２のＵＥ ＩＤを備える、請求項１に記載の方法。
【請求項６】
前記ディスカバリメッセージと同時に基準信号を受信することと、
前記受信された基準信号に基づいて、基準信号受信電力（ＲＳＲＰ）または基準信号受信品質（ＲＳＲＱ）のうちの少なくとも１つを決定することと、
をさらに備え、前記基地局への前記メッセージは、前記決定されたＲＳＲＰまたはＲＳＲＱのうちの少なくとも１つを備える、請求項５に記載の方法。
【請求項７】
前記基地局への前記メッセージは、前記第１のＵＥと前記基地局との間のアクセスリンクに関連付けられたリンク品質のインジケーションをさらに含む、請求項６に記載の方法。
【請求項８】
前記リレー関連付けプロシージャメッセージは、無線リソース制御（ＲＲＣ）メッセージを備え、前記ＲＲＣメッセージは、ＰｒｏＳｅチャネル上で前記リレー関連付けプロシージャを開始するよう前記第１のＵＥに指示し、前記ＲＲＣメッセージは、固有のリレーＩＤまたは定期報告情報のうちの少なくとも１つを含む、請求項１に記載の方法。
【請求項９】
ＰｒｏＳｅ測定チャネルと同時に基準信号を受信することと、
前記受信された基準信号に基づいてＲＳＲＰまたはＲＳＲＱのうちの少なくとも１つを決定することと、
前記決定されたＲＳＲＰまたはＲＳＲＱのうちの少なくとも１つを含む第２のＵＥ−リレー間のリンク品質に関する情報を含むメッセージを前記基地局に送信することと、
をさらに備える、請求項１に記載の方法。
【請求項１０】
前記リレー検索プロシージャを再開始するよう前記第２のＵＥに指示するメッセージを前記第２のＵＥ−リレー間のリンク品質に応答して前記基地局から受信することと、
前記第２のＵＥに、前記リレー検索プロシージャを再開始するようそれに指示するメッセージを送信することと、
をさらに備える、請求項９に記載の方法。
【請求項１１】
前記メッセージは、アクセスリンク（Ｕｕ）上で送信され、または
第２のＵＥ−リレー間のリンク品質の定期報告を要求するメッセージを前記基地局から受信することと、前記ＵＥ−リレー間のリンク品質の測定のためにＰｒｏＳｅチャネルの定期送信を要求するメッセージを前記第２のＵＥに送信することと、をさらに備える、請求項１に記載の方法。
【請求項１２】
基地局においてワイヤレス通信ネットワークにおけるリレー接続を管理する方法であって、
前記基地局に第１のＵＥからのリレー検索メッセージを通知するメッセージを少なくとも１つのリレーＵＥから受信することと、
リレー関連付けプロシージャを開始するために前記少なくとも１つのリレーＵＥのうちの１つのリレーＵＥを選択することと、
を備え、
第２のＵＥ−リレー間のリンク品質の定期報告を要求するメッセージを前記選択されたリレーＵＥに送信することと、
第２のＵＥ−リレー間のリンク品質の前記要求された定期報告を受信することと、
前記第２のＵＥ−リレー間のリンク品質の前記要求された定期報告に基づいて、前記第２のＵＥのためのリレーが別のリレーＵＥに移動されるべきかどうかを決定することと、
別のリレー検索メッセージを送信することを含む、リレー検索プロシージャを再開始するよう前記第２のＵＥに指示するメッセージを前記第２のＵＥ−リレー間のリンク品質に応答して送信することと、
を備えることを特徴とする、方法。
【請求項１３】
リレー関連付けプロシージャ開始メッセージを前記１つのリレーＵＥに送信することをさらに備え、前記リレー関連付けプロシージャ開始メッセージは、リレー関連付けプロシージャを開始するために前記基地局によって前記１つのリレーＵＥが選択されたことを前記１つのリレーＵＥに通知する、請求項１２に記載の方法。
【請求項１４】
前記選択は、前記リレーＵＥと前記基地局との間のアクセスリンク品質または前記リレーＵＥと第１のＵＥとの間のダイレクトリンク品質のうちの少なくとも１つに基づく、請求項１２に記載の方法。
【請求項１５】
第１のＵＥにおいてワイヤレス通信ネットワークにおけるリレーデバイスを通したリレー接続を管理するための装置であって、請求項１乃至１４のいずれか１項の前記ステップを実行するように配置される手段を備える、装置。
【発明の詳細な説明】
【関連出願の相互参照】
【０００１】
[0001]  本願は、「Systems, Methods, and Apparatus for Managing a Relay Connection in a Wireless Communications Network」と題し、２０１５年３月３１日に出願された、米国仮出願番号第６２／１４１，０６４号と、「SYSTEMS, METHODS, AND APPARATUS FOR MANAGING A RELAY CONNECTION IN A WIRELESS COMMUNICATIONS NETWORK」と題し、２０１６年３月２４日に出願された、米国特許出願番号第１５／０８０，４６２号の利益を主張し、それらの全内容は参照により本明細書に明確に組み込まれる。
【背景技術】
【０００２】
分野
[0002]  本開示は、一般的には、通信システムに関し、より具体的には、ワイヤレス通信ネットワークにおけるリレー接続に関する。
【０００３】
背景
[0003]  ワイヤレス通信システムは、電話通信、ビデオ、データ、メッセージング、およびブロードキャストのような様々な電気通信サービスを提供するために広く展開されている。典型的なワイヤレス通信システムは、利用可能なシステムリソースを共有することによって複数のユーザとの通信をサポートすることができる多元接続技術を用い得る。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]  これらの多元接続技術は、異なるワイヤレスデバイスが都市、国家、地域、さらには地球規模で通信することを可能にする共通プロトコルを提供するために、様々な電気通信規格において採用されてきた。電気通信規格の一例は、ロングタームエボリューション（ＬＴＥ（登録商標））である。ＬＴＥは、第３世代パートナーシッププロジェクト（３ＧＰＰ（登録商標））によって公表されたユニバーサルモバイル電気通信システム（ＵＭＴＳ）のモバイル規格の拡張セットである。ＬＴＥは、スペクトル効率の改善、コストの削減、およびダウンリンク上ではＯＦＤＭＡを、アップリンク上ではＳＣ−ＦＤＭＡを使用するサービスの改善、および多入力多出力（ＭＩＭＯ）アンテナ技術を通じて、モバイルブロードバンドアクセスをサポートするように設計される。しかしながら、モバイルブロードバンドアクセスに対する需要が増大し続けるに伴い、ＬＴＥ技術における更なる改善が必要とされている。これらの改善はまた、これらの技術を用いる他の多元接続技術および電気通信規格に適用可能であり得る。
【０００５】
[0005]  ＬＴＥ−Ｄの動作では、ＵＥが基地局のカバレッジの範囲から離れる（move out of）可能性がある。ＵＥが基地局のカバレッジの範囲から離れると、ネットワークとの通信を継続するために、ＵＥは、ＰｒｏＳｅ ＵＥ−ネットワーク間リレーノード（ProSe UE-to-Network Relay node）を使用し得る。しかしながら、ＰｒｏＳｅ ＵＥ−ネットワーク間リレーノードは、何らかの方法で管理される必要がある。
【発明の概要】
【０００６】
[0006]  以下は、１つ以上の態様の基本的な理解を提供するために、そのような態様の簡略化された概要を提示する。この概要は、意図された全ての態様の広範な概観ではなく、全ての態様の重要なまたは決定的な要素を特定することも、任意のまたは全ての態様の範囲を詳細に説明することも意図していない。その唯一の目的は、１つ以上の態様のいくつかの概念を、後に提示されるより詳細な説明への前置きとして、簡略化された形態で提示することである。
【０００７】
[0007]  上述したように、ＬＴＥ−Ｄの動作では、ユーザ機器（ＵＥ）が基地局のカバレッジの範囲から離れる可能性がある。ＵＥが基地局のカバレッジの範囲から離れると、ネットワークとの通信を継続するために、ＵＥは、ＰｒｏＳｅ ＵＥ−ネットワーク間リレーノードを使用し得る。しかしながら、ＰｒｏＳｅ ＵＥ−ネットワーク間リレーノードは、何らかの方法で管理される必要がある。
【０００８】
[0008]  リレーノードを管理することは、リレー検索メッセージ（relay search message）を第２のＵＥから受信することを含み得る。第２のＵＥは、リレーＵＥを通じてワイヤレス通信ネットワークへの接続を確立するようリレーＵＥに要求し得る。リレーノードを管理することは、基地局に第２のＵＥからのリレー検索メッセージを通知するメッセージをＵＥが基地局に送信し得ることを含み得る。リレーノードを管理することは、基地局からリレー関連付けプロシージャ開始メッセージ（initiate relay association procedure message）を受信することを含み得る。リレー関連付けプロシージャ開始メッセージは、第２のＵＥとリレー関連付けプロシージャを開始するために基地局によって第１のＵＥが選択されたことを第１のＵＥに通知し得る。
【０００９】
[0009]  基地局では、リレーノードを管理することは、基地局に第１のＵＥからのリレー検索メッセージを通知するメッセージを少なくとも１つのリレーＵＥから受信することを含み得る。さらに、リレーノードを管理することは、リレー関連付けプロシージャを開始するために少なくとも１つのリレーＵＥのうちの１つのリレーＵＥを選択することを含み得る。さらに、リレーノードを管理することは、リレー関連付けプロシージャ開始メッセージを１つのリレーＵＥに送信することを含み、リレー関連付けプロシージャ開始メッセージは、リレー関連付けプロシージャを開始するために基地局によって１つのリレーＵＥが選択されたことを１つのリレーＵＥに通知する。
【００１０】
[0010]  本開示の一態様において、方法、コンピュータプログラム製品、および装置が提供される。装置は、ＵＥのようなモバイルデバイスであり得る。ＵＥは、リレーＵＥを通じてワイヤレス通信ネットワークへの接続を確立するようリレーＵＥに要求するリレー検索メッセージを第２のＵＥから受信し得る。ＵＥは、基地局に第２のＵＥからのリレー検索メッセージを通知するメッセージを基地局に送信し得る。ＵＥは、基地局からリレー関連付けプロシージャ開始メッセージを受信し得る。リレー関連付けプロシージャ開始メッセージは、第２のＵＥとリレー関連付けプロシージャを開始するために基地局によって第１のＵＥが選択されたことを第１のＵＥに通知する。
【００１１】
[0011]  本開示の別の態様において、方法、コンピュータプログラム製品、および装置が提供される。装置は、基地局であり得る。基地局は、基地局に第１のＵＥからのリレー検索メッセージを通知するメッセージを少なくとも１つのリレーＵＥから受信し得る。基地局は、リレー関連付けプロシージャを開始するために少なくとも１つのリレーＵＥのうちの１つのリレーＵＥを選択し得る。基地局は、リレー関連付けプロシージャ開始メッセージを１つのリレーＵＥに送信し得る。リレー関連付けプロシージャ開始メッセージは、リレー関連付けプロシージャを開始するために基地局によって１つのリレーＵＥが選択されたことを１つのリレーＵＥに通知する。
【００１２】
[0012]  いくつかの例は、ワイヤレス通信ネットワークにおけるリレーデバイスを通したリレー接続を管理するための装置を含み得る。装置は、リレーＵＥを通じてワイヤレス通信ネットワークへの接続を確立するようリレーＵＥに要求するリレー検索メッセージを第２のＵＥから受信するための手段を含み得る。装置は、基地局に第２のＵＥからのリレー検索メッセージを通知するメッセージを基地局に送信するための手段を含み得る。装置は、基地局からリレー関連付けプロシージャ開始メッセージを受信するための手段を含み得る。
【００１３】
[0013]  いくつかの例では、装置は、第１のＵＥでサポートされるリレー容量または第１のＵＥにおけるＵＥリレー能力のうちの少なくとも１つを示すＵＥ能力情報メッセージを基地局に送るための手段をさらに含み得る。いくつかの例では、装置は、第２のＵＥが第１のＵＥをリレーデバイスとして選択したことを示す確認応答を第２のＵＥから受信するための手段をさらに含み得る。いくつかの例では、装置は、第２のＵＥのためのリレーとなるよう求める、第１のＵＥからの要求を拒否する（declining）メッセージを第２のＵＥから受信するための手段をさらに含み得る。いくつかの例では、装置は、ディスカバリメッセージと同時に基準信号を受信するための手段と、受信された基準信号に基づいてＲＳＲＰまたはＲＳＲＱのうちの少なくとも１つを決定するための手段と、をさらに含み得る。
【００１４】
[0014]  いくつかの例では、装置は、第２のＵＥ−リレー間のリンクの品質の定期報告を要求するメッセージを基地局から受信するための手段と、第２のＵＥ−リレー間のリンクの品質（second UE-to-relay link quality）の定期報告（periodic reporting）を要求する基地局からのメッセージに基づいて、第２のＵＥ−リレー間のリンクの品質の定期報告を要求するメッセージを第２のＵＥに送信するための手段と、をさらに含み得る。
【００１５】
[0015]  いくつかの例では、装置は、第２のＵＥ−リレー間のリンク品質の定期報告を要求する第２のＵＥへのメッセージに応答して、第２のＵＥから第２のＵＥ−リレー間のリンク品質に関する情報を含むメッセージを受信するための手段と、第２のＵＥから受信された第２のＵＥ−リレー間のリンク品質に関する情報を含むメッセージに基づいて、第２のＵＥ−リレー間のリンク品質に関する情報を含むメッセージを基地局に送信するための手段と、をさらに含み得る。
【００１６】
[0016]  いくつかの例では、装置は、別のリレー検索メッセージを送信することを含む、リレー検索プロシージャを再開始する（reinitiate）よう第２のＵＥに指示するメッセージを第２のＵＥ−リレー間のリンク品質に応答して基地局から受信するための手段をさらに含み得る。いくつかの例では、装置は、第２のＵＥに、リレー検索プロシージャを再開始するようそれに指示するメッセージを送信するための手段をさらに含み得る。
【００１７】
[0017]  いくつかの例では、装置は、ＰｒｏＳｅ測定チャネルと同時に基準信号を受信するための手段をさらに含み得る。いくつかの例では、装置は、受信された基準信号に基づいてＲＳＲＰまたはＲＳＲＱのうちの少なくとも１つを決定するための手段をさらに含み得る。いくつかの例では、装置は、決定されたＲＳＲＰまたはＲＳＲＱのうちの少なくとも１つを含む第２のＵＥ−リレー間のリンク品質に関する情報を含むメッセージを基地局に送信するための手段をさらに含み得る。
【００１８】
[0018]  いくつかの例では、装置は、リレー検索プロシージャを再開始するよう第２のＵＥに指示するメッセージを第２のＵＥ−リレー間のリンク品質に応答して基地局から受信するための手段をさらに含み得る。いくつかの例では、装置は、第２のＵＥに、リレー検索プロシージャを再開始するようそれに指示するメッセージを送信するための手段をさらに含み得る。
【００１９】
[0019]  いくつかの例は、基地局においてワイヤレス通信ネットワークにおけるリレー接続を管理するための装置を含み得る。装置は、基地局に第１のＵＥからのリレー検索メッセージを通知するメッセージを少なくとも１つのリレーＵＥから受信するための手段を含み得る。いくつかの例では、装置は、リレー関連付けプロシージャを開始するために少なくとも１つのリレーＵＥのうちの１つのリレーＵＥを選択するための手段をさらに含み得る。いくつかの例では、装置は、リレー関連付けプロシージャ開始メッセージを１つのリレーＵＥに送信するための手段をさらに含み得る。
【００２０】
[0020]  いくつかの例では、装置は、第２のＵＥ−リレー間のリンク品質の定期報告を要求するメッセージを選択されたリレーＵＥに送信するための手段をさらに含み得る。いくつかの例では、装置は、第２のＵＥ−リレー間のリンク品質の要求された定期報告を受信するための手段をさらに含み得る。いくつかの例では、装置は、第２のＵＥ−リレー間のリンク品質の要求された定期報告に基づいて、第２のＵＥのためのリレーが別のリレーＵＥに移動されるべきかどうかを決定するための手段をさらに含み得る。
【００２１】
[0021]  いくつかの例は、コンピュータ実行可能なコードを記憶するコンピュータ可読媒体を含み得る。コードは、リレーＵＥを通じてワイヤレス通信ネットワークへの接続を確立するようリレーＵＥに要求するリレー検索メッセージを第２のＵＥから受信するためのものであり得る。コードは、基地局に第２のＵＥからのリレー検索メッセージを通知するメッセージを基地局に送信するためのものであり得る。コードは、基地局からリレー関連付けプロシージャ開始メッセージを受信するためのものであり得る。
【００２２】
[0022]  いくつかの例では、コードは、基地局に第１のＵＥからのリレー検索メッセージを通知するメッセージを少なくとも１つのリレーＵＥから受信するためのものであり得る。いくつかの例では、コードは、リレー関連付けプロシージャを開始するために少なくとも１つのリレーＵＥのうちの１つのリレーＵＥを選択するためのものであり得る。いくつかの例では、コードは、リレー関連付けプロシージャ開始メッセージを１つのリレーＵＥに送信するためのものであり、リレー関連付けプロシージャ開始メッセージは、リレー関連付けプロシージャを開始するために基地局によって１つのリレーＵＥが選択されたことを１つのリレーＵＥに通知する。
【００２３】
[0023]  前述した目的および関連する目的を達成するために、１つ以上の態様は、以下に十分に説明され、特許請求の範囲において具体的に示される特徴を備える。以下の説明および添付図面は、１つ以上の態様のある特定の例示的な特徴を詳細に説明する。しかしながら、これらの特徴は、様々な態様の原理が用いられ得る様々な手法のほんの一部を示すものであり、この説明は、そのような全ての態様およびそれらの同等物を含むことを意図する。
【図面の簡単な説明】
【００２４】
【図１】[0024]  図１は、ワイヤレス通信システムおよびアクセスネットワークの一例を例示する図である。
【図２Ａ】[0025]  図２Ａ、２Ｂ、２Ｃ、および２Ｄは、それぞれ、ＤＬフレーム構造、ＤＬフレーム構造内のＤＬチャネル、ＵＬフレーム構造、およびＵＬフレーム構造内のＵＬチャネルのＬＴＥの例を例示する図である。
【図２Ｂ】図２Ａ、２Ｂ、２Ｃ、および２Ｄは、それぞれ、ＤＬフレーム構造、ＤＬフレーム構造内のＤＬチャネル、ＵＬフレーム構造、およびＵＬフレーム構造内のＵＬチャネルのＬＴＥの例を例示する図である。
【図２Ｃ】図２Ａ、２Ｂ、２Ｃ、および２Ｄは、それぞれ、ＤＬフレーム構造、ＤＬフレーム構造内のＤＬチャネル、ＵＬフレーム構造、およびＵＬフレーム構造内のＵＬチャネルのＬＴＥの例を例示する図である。
【図２Ｄ】図２Ａ、２Ｂ、２Ｃ、および２Ｄは、それぞれ、ＤＬフレーム構造、ＤＬフレーム構造内のＤＬチャネル、ＵＬフレーム構造、およびＵＬフレーム構造内のＵＬチャネルのＬＴＥの例を例示する図である。
【図３】[0026]  図３は、アクセスネットワークにおける発展型ノードＢ（ｅＮＢ）およびユーザ機器（ＵＥ）の一例を例示する図である。
【図４】[0027]  図４は、通信システムを例示する図である。
【図５】[0028]  図５は、異なる通信デバイス間で送られる信号を例示する図である。
【図６Ａ】[0029]  図６Ａは、ワイヤレス通信の方法を例示するフローチャートである。
【図６Ｂ】図６Ｂは、ワイヤレス通信の方法を例示するフローチャートである。
【図６Ｃ】図６Ｃは、ワイヤレス通信の方法を例示するフローチャートである。
【図７】[0030]  図７は、ワイヤレス通信の方法を例示する別のフローチャートである。
【図８】[0031]  図８は、例示的な装置における異なる手段／コンポーネント間のデータフローを例示する概念的なデータフロー図である。
【図９】[0032]  図９は、処理システムを用いる装置のためのハードウェアの実現の一例を例示する図である。
【詳細な説明】
【００２５】
[0033]  添付の図面に関連して以下に述べられる詳細な説明は、様々な構成の説明として意図したものであり、本明細書に説明される概念が実施され得る唯一の構成を表すように意図したものではない。詳細な説明は、様々な概念の完全な理解を提供する目的で、具体的な詳細を含む。しかしながら、これらの概念がこれらの具体的な詳細なしに実施され得ることが当業者には明らかになるであろう。いくつかの例では、そのような概念をあいまいにすることを避けるために、周知の構造およびコンポーネントがブロック図の形式で示される。
【００２６】
[0034]  ここで、電気通信システムのいくつかの態様が、様々な装置および方法に関連して示される。これらの装置および方法は、以下の詳細な説明において説明され、（「要素」と総称される）様々なブロック、コンポーネント、回路、プロセス、アルゴリズムなどによって、添付図面において例示される。これらの要素は、電子ハードウェア、コンピュータソフトウェア、またはこれらの任意の組み合わせを使用して実現され得る。そのような要素が、ハードウェアとして実現されるか、あるいはソフトウェアとして実現されるかは、特定のアプリケーションおよびシステム全体に課せられる設計制約に依存する。
【００２７】
[0035]  例として、要素、または要素の任意の部分、または要素の任意の組み合わせは、１つ以上のプロセッサを含む「処理システム」として実現され得る。プロセッサの例は、マイクロプロセッサ、マイクロコントローラ、グラフィック処理装置（ＧＰＵ）、中央処理装置（ＣＰＵ）、アプリケーションプロセッサ、デジタル信号プロセッサ（ＤＳＰ）、縮小命令セットコンピューティング（ＲＳＩＣ：reduced instruction set computing）プロセッサ、システムオンチップ（ＳｏＣ）、ベースバンドプロセッサ、フィールドプログラマブルゲートアレイ（ＦＰＧＡ）、プログラマブル論理デバイス（ＰＬＤ）、ステートマシン、ゲート論理、離散ハードウェア回路、および本開示全体にわたって記載された様々な機能を実行するように構成された他の適切なハードウェアを含む。処理システムにおける１つ以上のプロセッサは、ソフトウェアを実行し得る。ソフトウェアは、ソフトウェア、ファームウェア、ミドルウェア、マイクロコード、ハードウェア記述言語、またはその他の名称で呼ばれるかどうかにかかわらず、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、関数、等を意味するように広く解釈されるべきである。
【００２８】
[0036]  したがって、１つ以上の例示的な実施形態では、説明される機能は、ハードウェア、ソフトウェア、またはこれらの任意の組み合わせで実現され得る。ソフトウェアで実現される場合、機能は、コンピュータ可読媒体上で、１つ以上の命令またはコードとして記憶または符号化され得る。コンピュータ可読媒体は、コンピュータ記憶媒体を含む。記憶媒体は、コンピュータによってアクセスされることができる任意の利用可能な媒体であり得る。限定ではなく例として、そのようなコンピュータ可読媒体は、ランダムアクセスメモリ（ＲＡＭ）、読取専用メモリ（ＲＯＭ）、電気的消去可能プログラマブルＲＯＭ（ＥＥＰＲＯＭ（登録商標））、光ディスク記憶装置、磁気ディスク記憶装置、他の磁気記憶デバイス、コンピュータ可読媒体の前述のタイプの組み合わせ、またはコンピュータによってアクセスされることができるデータ構造または命令の形式でコンピュータ実行可能なコードを記憶するために使用されることができる任意の他の媒体を備えることができる。
【００２９】
[0037]  図１は、ワイヤレス通信システムおよびアクセスネットワーク１００の一例を例示する図である。ワイヤレス通信システム（ワイヤレスワイドエリアネットワーク（ＷＷＡＮ）とも称される）は、基地局１０２、ＵＥ１０４、および発展型パケットコア（ＥＰＣ）１６０を含む。基地局１０２は、マクロセル（高電力セルラ基地局）および／またはスモールセル（低電力セルラ基地局）を含み得る。マクロセルは、ｅＮＢを含む。スモールセルは、フェムトセル、ピコセル、およびマイクロセルを含む。
【００３０】
[0038]  基地局１０２（発展型ユニバーサルモバイルテレコミュニケーションシステム（ＵＭＴＳ）地上無線アクセスネットワーク（Ｅ−ＵＴＲＡＮ）と総称される）は、バックホールリンク１３２（例えば、Ｓ１インターフェース）を通じてＥＰＣ１６０とインターフェースを取り得る。他の機能に加えて、基地局１０２は、次のような機能の１つ以上を実行し得る：ユーザデータの転送、無線チャネルの暗号化および解読、完全性保護（integrity protection）、ヘッダ圧縮、モビリティ（mobility）制御機能（例えば、ハンドオーバ、デュアル（dual）接続性）、セル間干渉調整（coordination）、接続のセットアップおよびリリース、負荷バランシング、非アクセス層（ＮＡＳ）メッセージの分布（distribution）、ＮＡＳノード選択、同期、無線アクセスネットワーク（ＲＡＮ）共有、マルチメディアブロードキャストマルチキャストサービス（ＭＢＭＳ）、加入者および設備トレース（equipment trace）、ＲＡＮ情報管理（ＲＩＭ）、ページング、ポジショニング、および警告メッセージの配信。基地局１０２は、バックホールリンク１３４（例えば、Ｘ２インターフェース）上で互いに（例えば、ＥＰＣ１６０を通じて）直接的または間接的に通信し得る。バックホールリンク１３４は、ワイヤードまたはワイヤレスであり得る。
【００３１】
[0039]  基地局１０２は、ＵＥ１０４とワイヤレスで通信し得る。基地局１０２の各々は、それぞれの地理的カバレッジエリア１１０のための通信カバレッジを提供し得る。重複している地理的カバレッジエリア１１０が存在し得る。例えば、スモールセル１０２’は、１つ以上のマクロ基地局１０２のカバレッジエリア１１０と重複するカバレッジエリア１１０’を有し得る。スモールセルとマクロセルの両方を含むネットワークは、異機種ネットワークとして知られ得る。異機種ネットワークはまた、ホーム発展型ノードＢ（ｅＮＢ）（ＨｅＮＢ）を含み、それは、クローズド加入者グループ（ＣＳＧ）として知られる制限されたグループにサービスを提供し得る。基地局１０２とＵＥ１０４との間の通信リンク１２０は、ＵＥ１０４から基地局１０２へのアップリンク（ＵＬ）（逆方向リンクとも称され得る）送信および／または基地局１０２からＵＥ１０４へのダウンリンク（ＤＬ）（順方向リンクとも称され得る）送信を含み得る。通信リンク１２０は、空間多重化、ビームフォーミング、及び送信ダイバーシチを含む、ＭＩＭＯアンテナ技術を使用し得る。通信リンクは、１つ以上のキャリアを通じるものであり得る。基地局１０２／ＵＥ１０４は、各方向での送信に使用される最大で合計Ｙｘ ＭＨｚ（ｘ個のコンポーネントキャリア）のキャリアアグリゲーションにおいて割り振られるキャリアごとに最大Ｙ ＭＨｚ（例えば、５、１０、１５、２０ＭＨｚ）帯域幅のスペクトルを使用し得る。キャリアは互いに隣接することができる場合も、そうでない場合もある。キャリアの割り振りは、ＤＬおよびＵＬに対して非対称であり得る（例えば、多かれ少なかれキャリアはＵＬではなくＤＬのために割り振られ得る）。コンポーネントキャリアは、一次コンポーネントキャリアおよび１つ以上の二次コンポーネントキャリアを含み得る。一次コンポーネントキャリアは、一次セル（ＰＣｅｌｌ）と称され、二次コンポーネントキャリアは、二次セル（ＳＣｅｌｌ）と称され得る。
【００３２】
[0040]  ワイヤレス通信システムは、５ＧＨｚの無認可周波数スペクトルにおいて通信リンク１５４を介してＷｉ−Ｆｉ局（ＳＴＡ）１５２と通信状態にあるＷｉ−Ｆｉアクセスポイント（ＡＰ）１５０をさらに含み得る。無認可周波数スペクトルで通信するとき、ＳＴＡ１５２／ＡＰ１５０は、チャネルが利用可能かどうかを決定するために、通信する前にクリアチャネルアセスメント（ＣＣＡ）を実行し得る。
【００３３】
[0041]  小さなセル１０２’は、認可および／または無認可周波数スペクトルで動作し得る。無認可周波数スペクトルで動作するとき、スモールセル１０２’は、ＬＴＥを用いて、Ｗｉ−Ｆｉ ＡＰ１５０によって使用されているものと同じ５ＧＨｚ無認可周波数スペクトルを使用し得る。無認可周波数スペクトルでＬＴＥを用いるスモールセル１０２’は、アクセスネットワークの能力を高める、および／またはそれへのカバレッジを増加（boost）させ得る。無認可スペクトルにおけるＬＴＥは、ＬＴＥ−無認可（ＬＴＥ−Ｕ）、ライセンス補助アクセス（ＬＡＡ）、またはＭｕＬＴＥｆｉｒｅと称され得る。
【００３４】
[0042]  ＥＰＣ１６０は、モビリティ管理エンティティ（ＭＭＥ）１６２、他のＭＭＥ１６４、サービングゲートウェイ１６６、マルチメディアブロードキャストマルチキャストサービス（ＭＢＭＳ）ゲートウェイ１６８、ブロードキャストマルチキャストサービスセンタ（ＢＭ−ＳＣ）１７０、およびパケットデータネットワーク（ＰＤＮ）ゲートウェイ１７２を含み得る。ＭＭＥ１６２は、ホーム加入者サーバ（ＨＳＳ）１７４と通信状態にあり得る。ＭＭＥ１６２は、ＵＥ１０４とＥＰＣ１６０との間のシグナリングを処理する制御ノードである。通常、ＭＭＥ１６２は、ベアラおよび接続管理を提供する。すべてのユーザインターネットプロトコル（ＩＰ）パケットは、それ自体がＰＤＮゲートウェイ１７２に接続されるサービングゲートウェイ１６６を通じて転送される。ＰＤＮゲートウェイ１７２は、ＵＥ ＩＰアドレス割り振りのみならず、他の機能も提供する。ＰＤＮゲートウェイ１７２およびＢＭ−ＳＣ１７０は、ＩＰサービス１７６に接続される。ＩＰサービス１７６は、インターネット、イントラネット、ＩＰマルチメディアサブシステム（ＩＭＳ）、ＰＳストリーミングサービス（ＰＳＳ）、および／または他のＩＰサービスを含み得る。ＢＭ−ＳＣ１７０は、ＭＢＭＳユーザサービスプロビジョニングおよび配信のための機能を提供し得る。ＢＭ−ＳＣ１７０は、コンテンツプロバイダＭＢＭＳ送信のためのエントリポイントとしての役割を果たし、公衆地上モバイルネットワーク（ＰＬＭＮ）内のＭＢＭＳベアラサービスを認証および開始するために使用され、ＭＢＭＳ送信をスケジュールするために使用され得る。ＭＢＭＳゲートウェイ１６８は、特定のサービスをブロードキャストするマルチキャストブロードキャスト単一周波数ネットワーク（ＭＢＳＦＮ）エリアに属する基地局１０２にＭＢＭＳトラフィックを分配するために使用され、セッション管理（開始／停止）およびｅＭＢＭＳ関連課金情報（related charging information）を集めることを担い得る。
【００３５】
[0043]  基地局はまた、ｅノードＢ、発展型ノードＢ（ｅＮＢ）、アクセスポイント、ベーストランシーバ基地局、無線基地局、無線トランシーバ、トランシーバ機能、基本サービスセット（ＢＳＳ）、拡張サービスセット（ＥＳＳ）、または何らかの他の適切な用語で称され得る。基地局１０２は、ＵＥ１０４のためにＥＰＣ１６０へのアクセスポイントを提供する。ＵＥ１０４の例は、セルラ電話、スマートフォン、セッション開始プロトコル（ＳＩＰ）電話、ラップトップ、携帯情報端末（ＰＤＡ）、衛星無線機（satellite radio）、全地球測位システム、マルチメディアデバイス、ビデオデバイス、デジタルオーディオプレーヤ（例えば、ＭＰ３プレーヤ）、カメラ、ゲーム機、タブレット、スマートデバイス、ウェアラブルデバイス、または任意の他の同様に機能するデバイスを含む。ＵＥ１０４はまた、局、移動局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、移動端末、ワイヤレス端末、遠隔端末、ハンドセット、ユーザエージェント、モバイルクライアント、クライアント、または何らかの他の適切な用語で称され得る。
【００３６】
[0044]  図１を再度参照すると、ある特定の態様において、ＵＥ１０４は、リレーノードを管理するように構成され得る（１９８）。リレーノードを管理することは、第２のＵＥからリレー検索メッセージを受信することを含み得る。第２のＵＥは、リレーＵＥを通じてワイヤレス通信ネットワークへの接続を確立するようリレーＵＥに要求し得る。リレーノードを管理することは、基地局に第２のＵＥからのリレー検索メッセージを通知するメッセージを基地局に送信することを含み得る。リレーノードを管理することは、基地局からリレー関連付けプロシージャ開始メッセージを受信することを含み得る。リレー関連付けプロシージャ開始メッセージは、第２のＵＥとリレー関連付けプロシージャを開始するために基地局によって第１のＵＥが選択されたことを第１のＵＥに通知し得る。さらに、いくつかの例において、リレーノードを管理することは、第２のＵＥにリレー関連付けメッセージを送信することを含み得る。リレー関連付けメッセージは、第２のＵＥのためのリレーＵＥとなるよう求める要求を含み得る（１９８）。
【００３７】
[0045]  さらに、ある特定の態様において、ｅＮＢ１０２は、リレーノード管理するように構成され得る（１９８）。基地局において、リレーノードを管理することは、少なくとも１つのリレーＵＥからメッセージを受信することを含み得る。メッセージは、基地局に第１のＵＥからのリレー検索メッセージを通知し得る。さらに、リレーノードを管理することは、リレー関連付けプロシージャを開始するために少なくとも１つのリレーＵＥのうちの１つのリレーＵＥを選択することを含み得る。また、リレーノードを管理することは、１つのリレーＵＥにリレー関連付けプロシージャ開始メッセージを送信することを含み得る。リレー関連付けプロシージャ開始メッセージは、リレー関連付けプロシージャを開始するために基地局によって１つのリレーＵＥが選択されたことを１つのリレーＵＥに通知し得る。
【００３８】
[0046]  図２Ａは、ＬＴＥにおけるＤＬフレーム構造の一例を例示する図２００である。図２Ｂは、ＬＴＥにおけるＤＬフレーム構造内のチャネルの一例を例示する図２３０である。図２Ｃは、ＬＴＥにおけるＵＬフレーム構造の一例を例示する図２５０である。図２Ｄは、ＬＴＥにおけるＵＬフレーム構造内のチャネルの一例を例示する図２８０である。他のワイヤレス通信技術は、異なるフレーム構造および／または異なるチャネルを有し得る。ＬＴＥでは、フレーム（１０ｍｓ）は、１０個の等しいサイズのサブフレームに分割され得る。各サブフレームは、２つの連続したタイムスロットを含み得る。リソースグリッドは、２つのタイムスロットを表すために使用され、各タイムスロットは１つ以上の時間並列（time concurrent）リソースブロック（ＲＢ）（物理ＲＢ（ＰＲＢ）とも称される）を含む。リソースグリッドは、複数のリソース要素（ＲＥ）に分割される。ＬＴＥでは、通常のサイクリックプリフィックスの場合、ＲＢは、周波数領域における１２個の連続したサブキャリアと、時間領域における７個の連続したシンボル（ＤＬの場合、ＯＦＤＭシンボル；ＵＬの場合、ＳＣ−ＦＤＭＡシンボル）とを含み、合計で８４個のＲＥとなる。拡張されたサイクリックプリフィックスの場合、ＲＢは、周波数領域における１２個の連続したサブキャリアと、時間領域における６個の連続したシンボルとを含み、合計で７２個のＲＥとなる。各ＲＥによって搬送されるビット数は、変調スキームに依存する。
【００３９】
[0047]  図２Ａに例示されるように、ＲＥのうちのいくつかは、ＵＥにおいてチャネル推定のためのＤＬ基準（パイロット）信号（ＤＬ−ＲＳ）を搬送する。ＤＬ−ＲＳは、セル固有の基準信号（ＣＲＳ）（時に共有ＲＳとも呼ばれる）、ＵＥ固有の基準信号（ＵＥ−ＲＳ）、およびチャネル状態情報基準信号（ＣＳＩ−ＲＳ）を含み得る。図２Ａは、アンテナポート０、１、２、および３（それぞれＲ０、Ｒ１、Ｒ２、およびＲ３と表示される）ではＣＲＳを、アンテナポート５（Ｒ５と表示される）ではＵＥ−ＲＳを、そしてアンテナポート１５（Ｒと表示される）ではＣＳＩ−ＲＳを例示する。図２Ｂは、フレームのＤＬサブフレーム内の様々なチャネルの一例を例示する。物理制御フォーマットインジケータチャネル（ＰＣＦＩＣＨ）は、スロット０のシンボル０内にあり、物理ダウンリンク制御チャネル（ＰＤＣＣＨ）が１、２、または３個のシンボルを占有するかどうかを示す制御フォーマットインジケータ（ＣＦＩ）搬送する（図２Ｂは、３個のシンボルを占有するＰＤＣＣＨを例示する）。ＰＤＣＣＨは、１つ以上の制御チャネル要素（ＣＣＥ）内のダウンリンク制御情報（ＤＣＩ）を搬送し、各ＣＣＥは、９個のＲＥグループ（ＲＥＧ）を含み、各ＲＥＧは、ＯＦＤＭシンボル内の４個の連続したＲＥを含む。ＵＥは、ＤＣＩも搬送するＵＥ固有のエンハンスドＰＤＣＣＨ（ｅＰＤＣＣＨ）により構成され得る。ｅＰＤＣＣＨは、２、４、または８個のＲＢペアを有し得る（図２Ｂは、２つのＲＢペアを示し、各サブセットは、１つのＲＢペアを含む）。物理ハイブリッド自動再送要求（ＡＲＱ）（ＨＡＲＱ）インジケータチャネル（ＰＨＩＣＨ）はまた、スロット０のシンボル０内にあり、物理アップリンク共有チャネル（ＰＵＳＣＨ）に基づいてＨＡＲＱ確認応答（ＡＣＫ）／否定ＡＣＫ（ＮＡＣＫ）フィードバックを示すＨＡＲＱインジケータ（ＨＩ）を搬送する。一次同期チャネル（ＰＳＣＨ）は、フレームのサブフレーム０および５内のスロット０のシンボル６内にあり、サブフレームのタイミングおよび物理層のアイデンティティを決定するためにＵＥによって使用される一次同期信号（ＰＳＳ）を搬送する。二次同期チャネル（ＳＳＣＨ）は、フレームのサブフレーム０および５内のスロット０のシンボル５内にあり、物理層のセルアイデンティティのグループ番号を決定するためにＵＥによって使用される二次同期信号（ＰＳＳ）を搬送する。物理層のアイデンティティおよび物理層のセルアイデンティティのグループ番号に基づいて、ＵＥは、物理セル識別子（ＰＣＩ）を決定することができる。ＰＣＩに基づいて、ＵＥは、前述のＤＬ−ＲＳのロケーションを決定することができる。物理ブロードキャストチャネル（ＰＢＣＨ）は、フレームのサブフレーム０のスロット１のシンボル０、１、２、３内にあり、マスタ情報ブロック（ＭＩＢ）を搬送する。ＭＩＢは、ＤＬシステム帯域幅における多数のＲＢ、ＰＨＩＣＨ構成、およびシステムフレーム番号（ＳＦＮ）を提供する。物理ダウンリンク共有チャネル（ＰＤＳＣＨ）は、ユーザデータ、システム情報ブロック（ＳＩＢ）のようなＰＢＣＨを通じて送信されないブロードキャストシステム情報、およびページングメッセージを搬送する。
【００４０】
[0048]  図２Ｃに例示されるように、ＲＥのうちのいくつかは、ｅＮＢにおいてチャネル推定のための復調基準信号（ＤＭ−ＲＳ）を搬送する。ＵＥは、サブフレームの最後のシンボルにおけるサウンディング基準信号（ＳＲＳ）をさらに送信し得る。ＳＲＳは、コーム構造（comb structure）を有し、ＵＥは、そのコームのうちの１つでＳＲＳを送信し得る。ＳＲＳは、ＵＬ上で周波数依存型スケジューリングを有効にするために、チャネル品質推定のためのｅＮＢによって使用され得る。図２Ｄは、フレームのＵＬサブフレーム内の様々なチャネルの一例を例示する。物理ランダムアクセスチャネル（ＰＲＡＣＨ）は、ＰＲＡＣＨ構成に基づくフレーム内の１つ以上のサブフレーム内にあり得る。ＰＲＡＣＨは、サブフレーム内の６個の連続したＲＢペアを含み得る。ＰＲＡＣＨは、ＵＥが初期システムアクセスを実行し、ＵＬ同期を達成することを可能する。物理アップリンク制御チャネル（ＰＵＣＣＨ）は、ＵＬのシステム帯域幅の端（edges）に位置し得る。ＰＵＣＣＨは、スケジューリング要求、チャネル品質インジケータ（ＣＱＩ）、プリコーディングマトリックスインジケータ（ＰＭＩ）、ランクインジケータ（ＲＩ）、およびＨＡＲＱ ＡＣＫ／ＮＡＣＫフィードバックのような、アップリンク制御情報（ＵＣＩ）を搬送する。ＰＵＳＣＨは、データを搬送し、バッファステータス報告（ＢＳＲ）、電力ヘッドルーム報告（ＰＨＲ）、および／またはＵＣＩを搬送するためにさらに使用され得る。
【００４１】
[0049]  図３は、アクセスネットワークにおいてＵＥ３５０と通信状態にあるｅＮＢ３１０のブロック図である。ＤＬでは、ＥＰＣ１６０からのＩＰパケットは、コントローラ／プロセッサ３７５に提供され得る。コントローラ／プロセッサ３７５は、層３および層２の機能を実現する。層３は、無線リソース制御（ＲＲＣ）層を含み、層２は、パケットデータコンバージェンスプロトコル（ＰＤＣＰ）層、無線リンク制御（ＲＬＣ）層、および媒体アクセス制御（ＭＡＣ）層を含む。コントローラ／プロセッサ３７５は、システム情報（例えば、ＭＩＢ、ＳＩＢ）のブロードキャスト、ＲＲＣ接続制御（例えば、ＲＲＣ接続ページング、ＲＲＣ接続確立、ＲＲＣ接続修正、およびＲＲＣ接続リリース）、無線アクセス技術（ＲＡＴ）間モビリティ、およびＵＥ測定報告ための測定構成に関連付けられたＲＲＣ層の機能；ヘッダ圧縮／復元（decompression）、セキュリティ（暗号化、暗号解読、完全性保護、完全性検証（integrity verification））、およびハンドオーバサポート機能に関連付けられたＰＤＣＰ層の機能；上位層パケットデータユニット（ＰＤＵ）の転送、ＡＲＱを通したエラー訂正、ＲＬＣサービスデータユニット（ＳＤＵ）の連結（concatenation）、分割（segmentation）、および再構築（reassembly）、ＲＬＣデータＰＤＵの再分割（re-segmentation）、およびＲＬＣデータＰＤＵの再順序付けに関連付けられたＲＬＣ層の機能；および論理チャネルとトランスポートチャネルとの間のマッピング、トランスポートブロック（ＴＢ）上へのＭＡＣ ＳＤＵの多重化、ＴＢからＭＡＣ ＳＤＵの逆多重化、情報報告のスケジューリング、ＨＡＲＱを通したエラー訂正、優先度ハンドリング、および論理チャネルの優先順位付けに関連付けられたＭＡＣ層の機能を提供する。
【００４２】
[0050]  送信（ＴＸ）プロセッサ３１６および受信（ＲＸ）プロセッサ３７０は、様々な信号処理機能に関連付けられた層１の機能を実現する。物理（ＰＨＹ）層を含む層１は、トランスポートチャネルでのエラー検出、トランスポートチャネルの前方向エラー訂正（ＦＥＣ）コーディング／デコーディング、インターリービング、レート整合、物理チャネルへのマッピング、物理チャネルの変調／復調、およびＭＩＭＯアンテナ処理を含み得る。ＴＸプロセッサ３１６は、様々な変調スキーム（例えば、２相位相シフトキーイング（ＢＰＳＫ）、４相位相シフトキーイング（ＱＰＳＫ）、Ｍ相位相シフトキーイング（Ｍ−ＰＳＫ）、Ｍ値直交振幅変調（Ｍ−ＱＡＭ））に基づいて信号コンステレーションにマッピングすることを担う（handles）。その後、コーディングおよび変調されたシンボルは、並列ストリーム（parallel streams）に分けられ得る。その後、各ストリームは、ＯＦＤＭサブキャリアにマッピングされ、時間および／または周波数領域において基準信号（例えば、パイロット）と多重化され、その後、時間領域ＯＦＤＭシンボルストリームを搬送する物理チャネルを生成するために、逆高速フーリエ変換（ＩＦＦＴ）を使用して共に組み合わされ得る。ＯＦＤＭストリームは、複数の空間ストリームを生成するために空間的にプリコーディングされる。チャネル推定器３７４からのチャネル推定値は、コーディングおよび変調スキームを決定するためのみならず、空間処理のためにも使用され得る。チャネル推定値は、ＵＥ３５０によって送信されたチャネル状態フィードバックおよび／または基準信号から導出され得る。その後、各空間ストリームは、別個の送信機３１８ＴＸを介して異なるアンテナ３２０に提供され得る。各送信機３１８ＴＸは、送信用のそれぞれの空間ストリームを用いてＲＦキャリアを変調し得る。
【００４３】
[0051]  ＵＥ３５０において、各受信機３５４ＲＸは、そのそれぞれのアンテナ３５２を通じて信号を受信する。各受信機３５４ＲＸは、ＲＦキャリア上に変調された情報を復元し、受信（ＲＸ）プロセッサ３５６に情報を提供する。ＴＸプロセッサ３６８およびＲＸプロセッサ３５６は、様々な信号処理機能に関連付けられた層１の機能を実現する。ＲＸプロセッサ３５６は、ＵＥ３５０宛ての任意の空間ストリームを復元するために、情報に対して空間処理を実行し得る。複数の空間ストリームがＵＥ３５０宛てである場合、それらは、ＲＸプロセッサ３５６によって単一のＯＦＤＭシンボルストリームに組み合わされ得る。その後、ＲＸプロセッサ３５６は、高速フーリエ変換（ＦＦＴ）を使用して、ＯＦＤＭシンボルストリームを時間領域から周波数領域に変換する。周波数領域信号は、ＯＦＤＭ信号のサブキャリアごとに別個のＯＦＤＭシンボルストリームを備える。各サブキャリア上のシンボル、および基準信号は、ｅＮＢ３１０によって送信された最も有望な（most likely）信号コンステレーションポイントを決定することによって復元および復調される。これらの軟判定は、チャネル推定器３５８によって計算されたチャネル推定値に基づき得る。その後、軟判定は、物理チャネル上でｅＮＢ３１０によって当初送信されたデータおよび制御信号を復元するために、復号およびデインタリーブされる。その後、データおよび制御信号は、層３および層２の機能を実現するコントローラ／プロセッサ３５９に提供される。
【００４４】
[0052]  コントローラ／プロセッサ３５９は、プログラムコードおよびデータを記憶するメモリ３６０に関連付けられ得る。メモリ３６０は、コンピュータ可読媒体と称され得る。ＵＬでは、コントローラ／プロセッサ３５９は、ＥＰＣ１６０からのＩＰパケットを復元するために、トランスポートチャネルと論理チャネルとの間の逆多重化、パケットの再構築、暗号解読、ヘッダの復元、および制御信号処理を提供する。コントローラ／プロセッサ３５９はまた、ＨＡＲＱ動作をサポートするために、ＡＣＫおよび／またはＮＡＣＫプロトコルを使用した誤り検出を担う。
【００４５】
[0053]  ｅＮＢ３１０によるＤＬ送信に関連して説明された機能と同様に、コントローラ／プロセッサ３５９は、システム情報（例えば、ＭＩＢ、ＳＩＢ）の取得、ＲＲＣ接続、および測定報告に関連付けられたＲＲＣ層の機能；ヘッダ圧縮／復元、およびセキュリティ（暗号化、暗号解読、完全性保護、完全性検証）に関連付けられたＰＤＣＰ層の機能；上位層ＰＤＵの転送、ＡＲＱを通したエラー訂正、ＲＬＣ ＳＤＵの連結、分割、および再構築、ＲＬＣデータＰＤＵの再分割、およびＲＬＣデータＰＤＵの再順序付けに関連付けられたＲＬＣ層の機能；および論理チャネルとトランスポートチャネルとの間のマッピング、ＴＢ上へのＭＡＣ ＳＤＵの多重化、ＴＢからＭＡＣ ＳＤＵの逆多重化、情報報告のスケジューリング、ＨＡＲＱを通したエラー訂正、優先度ハンドリング、および論理チャネルの優先順位付けに関連付けられたＭＡＣ層の機能を提供する。
【００４６】
[0054]  ｅＮＢ３１０によって送信されたフィードバックまたは基準信号からチャネル推定器３５８によって導出されたチャネル推定値は、適切なコーディングおよび変調スキームを選択し、空間処理を容易にするために、ＴＸプロセッサ３６８によって使用され得る。ＴＸプロセッサ３６８によって生成された空間ストリームは、別個の送信機３５４ＴＸを介して異なるアンテナ３５２に提供され得る。各送信機３５４ＴＸは、送信のためのそれぞれの空間ストリームを用いてＲＦキャリアを変調し得る。
【００４７】
[0055]  ＵＬ送信は、ＵＥ３５０における受信機機能に関して説明されたのと同様の方法でｅＮＢ３１０において処理される。各受信機３１８ＲＸは、そのそれぞれのアンテナ３２０を通じて信号を受信する。各受信機３１８ＲＸは、ＲＦキャリア上に変調された情報を復元し、ＲＸプロセッサ３７０に情報を提供する。
【００４８】
[0056]  コントローラ／プロセッサ３７５は、プログラムコードおよびデータを記憶するメモリ３７６に関連付けられ得る。メモリ３７６は、コンピュータ可読媒体と称され得る。ＵＬでは、コントローラ／プロセッサ３７５は、ＵＥ３５０からのＩＰパケットを復元するために、トランスポートチャネルと論理チャネルとの間の逆多重化、パケットの再構築、暗号解読、ヘッダの復元、および制御信号処理を提供する。コントローラ／プロセッサ３７５からのＩＰパケットは、ＥＰＣ１６０に提供され得る。コントローラ／プロセッサ３７５はまた、ＨＡＲＱ動作をサポートするために、ＡＣＫおよび／またはＮＡＣＫプロトコルを使用した誤り検出を担う。
【００４９】
[0057]  図４は、通信システム８００を例示する図である。通信システム８００は、基地局８０２および基地局８０２と通信状態にあり得るワイヤレスデバイス８０４、８０６、８０８のような複数のＵＥを含む。通信システム８００はまた、基地局８１２および基地局８１２と通信状態にあり得るワイヤレスデバイス８１０、８１４のような別の複数のＵＥを含む。１つのＵＥ、ワイヤレスデバイス８１６は、カバレッジエリア８１８、８２０内に存在しない可能性がある。例えば、ワイヤレスデバイス８１６は、カバレッジエリア８１８、８２０の外側にある、カバレッジエリア８１８、８２０から離れる、またはそうでなければ基地局８０２または基地局８１２のいずれかと通信できない可能性がある。
【００５０】
[0058]  図４に例示されるように、ワイヤレスデバイス８１６がカバレッジエリア内に存在しないとき、ワイヤレスデバイス８１６は、リレーを活用し得る。リレーは、ワイヤレスデバイス８１６が、ワイヤレスデバイス８１６がカバレッジエリア８１８、８２０内にないときに、ネットワーク、例えば、通信システム８００と通信し始めること、またはワイヤレスデバイス８１６がカバレッジエリア８１８、８２０の外側に移動したときに、ネットワークとの通信を継続することを可能にし得る。例えば、ワイヤレスデバイス８０４、８０６、８０８、８１０、８１４は、リレーとして機能し得る。したがって、ワイヤレスデバイス８０４、８０６、８０８、８１０、８１４のいずれもワイヤレスデバイス８１６のためのリレーとして依然として選択されていないため、ワイヤレスデバイス８０４、８０６、８０８、８１０、８１４は、ワイヤレスデバイス８１６のための可能性のある（potential）リレーである。
【００５１】
[0059]  ワイヤレスデバイス８０４、８０６、８０８は、それらが基地局８０２のためのカバレッジエリア８１８内に存在するため、基地局８０２へのリレーとして機能し得る。ワイヤレスデバイス８１０および８１４は、それらが基地局８１２のカバレッジエリア８２０内に存在するため、基地局８１２へのリレーとして機能し得る。したがって、ワイヤレスデバイス８１６は、ワイヤレスデバイス８０４、８０６、または８０８のうちの１つを通じて基地局８０２と通信し得る。同様に、ワイヤレスデバイス８１６は、ワイヤレスデバイス８１０または８１４のうちの１つを通じて基地局８１２と通信し得る。
【００５２】
[0060]  いくつかの例では、ワイヤレスデバイス１８６は、近接ベースのサービス（ＰｒｏＳｅ：Proximity-based Service）ＵＥ−ネットワーク間リレーノードを形成し得る。ＰｒｏＳｅ通信は、２つのワイヤレスデバイス８０４、８０６、８０８、８１０、８１４、８１６が近くにあるとき、ワイヤレスデバイス８０４、８０６、８０８、８１０、８１４、８１６が互いに直接的に通信することを可能にする。ＰｒｏＳｅ通信により、ワイヤレスデバイス８０４、８０６、８０８、８１０、８１４、８１６は、基地局、例えば、ｅＮＢを通じて、他のワイヤレスデバイス８０４、８０６、８０８、８１０、８１４、８１６と、データを送信すること、データを受信すること、制御信号を送信すること、制御信号を受信すること、またはこれらの何らかの組み合わせを行う必要はない。むしろ、ダイレクト通信リンクは、例えば、ワイヤレスデバイス８０４、８０６、８０８、８１０、８１４、８１６のうちの２つの間で形成され得る。よって、ワイヤレスデバイス８０４、８０６、８０８、８１０、８１４、８１６間のダイレクトリンクが形成され得る。
【００５３】
[0061]  いくつかの例では、リレーの選択および管理は、ＵＥ中心方法（UE-centric manner）で行われ得る。ＵＥ中心方法でリレーの選択を実行するのは、ワイヤレスデバイス８１６がリレーとして機能するワイヤレスデバイス８０４、８０６、８０８、８１０、または８１４を自律的に選択／再選択するときであり得る。他の例では、リレーの選択および管理は、ｅノードＢ中心方法で行われ得る。いくつかの例では、ｅＮＢ中心方法でリレーの選択を実行するのは、ｅＮＢ、例えば、基地局８０２または８１２がワイヤレスデバイス８１６のためにリレーとして機能するワイヤレスデバイス８０４、８０６、８０８、８１０、または８１４を管理するときであり得る。ワイヤレスデバイス８１６は、別のワイヤレスデバイス８０４、８０６、８０８、８１０、８１４のような、リレーデバイスを通じて基地局８０２、８１２にアクセスする必要があるデバイスであり得る。ワイヤレスデバイス８１６は、通常、カバレッジエリア８１８、８２０の端または外側にあり得る。
【００５４】
[0062]  概して、本明細書で説明されるシステム、方法、およびデバイスは、ｅノードＢ中心アプローチを使用し得る。しかしながら、本明細書で説明されるシステム、方法、およびデバイスまたはこれらシステム、方法、およびデバイスの態様はまた、通常、ＵＥ中心方法で機能し得ると理解されるであろう。ＵＥ中心方法により、本明細書で説明されるシステムおよび方法に関連する様々な機能は、基地局からＵＥへと移行（moved from）し得る。
【００５５】
[0063]  リレー検索の一例では、ワイヤレスデバイス８１６は、ワイヤレスデバイス８１６がリレーデバイスを探していることを知らせる、リレー検索メッセージ、例えば、ディスカバリメッセージ、をブロードキャストする。メッセージは、ワイヤレスデバイス８１６のレベル２（Ｌ２）識別情報（ＩＤ）を含み得る。
【００５６】
[0064]  リレーＵＥ、例えば、メッセージをリッスンするワイヤレスデバイス８０４、８０４、８０８、８１０、８１４は、それらのそれぞれの基地局８０２、８１２に、ワイヤレスデバイス８１６についての様々なパラメータを通知する。ワイヤレスデバイス８１６のパラメータは、ワイヤレスデバイス８１６のＬ２ ＩＤまたはＵＥ ＩＤ、Ｄ２Ｄリンク品質、およびワイヤレスデバイス８１６のためのリレーの確立またはワイヤレスデバイス８１６に関する任意の他の関連情報を含むがそれらに限定されない。例えば、ワイヤレスデバイス８０４、８０６、８０８は、基地局８０２に、ワイヤレスデバイス８１６のＬ２ ＩＤまたはＵＥ ＩＤ、Ｄ２Ｄリンク品質、および任意の他の関連情報を通知する。ワイヤレスデバイス８１０、８１４は、基地局８１２に、ワイヤレスデバイス８１６のＬ２ ＩＤまたはＵＥ ＩＤ、Ｄ２Ｄリンク品質、および任意の他の関連情報を通知する。いくつかの例において、それぞれの基地局８０２または８１２に送られる情報は、アクセスリンク（Ｕｕ）を介して送られ得る。図４に例示されるように、図４の例示された例におけるリレーＵＥとして機能し得るワイヤレスデバイス８０４、８０６、８０８、８１０、８１４は、異なる基地局８０２、８１２によってサービス提供され得る。例えば、基地局８０２は、一般的には、ワイヤレスデバイス８０４、８０６、８０８にサービス提供し、基地局８１２は、一般的には、ワイヤレスデバイス８１０、８１４にサービス提供する。基地局８０２のサービスエリアは、円によって例示される。基地局８１２のサービスエリアは、カバレッジエリア８１８によって例示される。カバレッジエリア８１８、８２０を示す円は、一般的には、例示的なサービスエリアを示すことのみを目的にしている。いずれの実際のサービスエリアもそれほど明確に描かれていないと理解されるであろう。サービスのエリアのサイズおよび形は、いくつかの要因に基づいて異なり得る。これら要因は、基地局８０２、８１２のアンテナ（複数を含む）からの方向、地形（terrain）の差、アンテナの信号応答の差、および送信距離または受信距離に影響を与える可能性のある任意の他の要因を含み得る。
【００５７】
[0065]  基地局８０２、８１２は、リレーとして機能するようにワイヤレスデバイス８０４、８０６、８０８、８１０、８１４を選択し得る。より具体的には、基地局８０２は、ワイヤレスデバイス８０４、８０６、８０８のうちの１つを選択し得る。基地局８１２は、リレーとして機能するようにワイヤレスデバイス８１０、８１４のうちの１つを選択し得る。基地局８０２によるワイヤレスデバイス８０４、８０６、８０８のうちの１つの選択および基地局８１２によるワイヤレスデバイス８１０、８１４のうちの１つの選択に使用される選択基準は、可能性のあるリレーのＵｕリンク品質、Ｄ２Ｄリンク品質、およびリンク品質に関連する他の要因を含み得るがそれに限定されない。
【００５８】
[0066]  基地局８０２は、選択されたリレーＵＥ（ワイヤレスデバイス８０４、８０６、８０８のうちの１つ）に、ワイヤレスデバイス８１６とリレー関連付けプロシージャを開始するよう通知し得る。同様に、基地局８１２は、選択されたリレーＵＥ（ワイヤレスデバイス８１０、８１４のうちの１つ）に、ワイヤレスデバイス８１６とリレー関連付けプロシージャを開始するよう通知し得る。
【００５９】
[0067]  ワイヤレスデバイス８１６は、リレー関連付けメッセージ（複数を含む）に、それらのうちの１つに肯定的に応答することによって、応答し得る。例えば、ワイヤレスデバイス８０６がリレーとして機能するようにワイヤレスデバイス８１６によって選択されたと仮定する。ワイヤレスデバイス８１６は、ワイヤレスデバイス８１６からのリレー関連付けメッセージに肯定的に確認応答する（positively acknowledging）ことによって、すなわち、ワイヤレスデバイス８１６に確認応答メッセージを送り返すことによって、ワイヤレスデバイス８１６からのリレー関連付けメッセージに応答し得る。いくつかの例では、ＰｒｏＳｅ機能が使用され得る。ＰｒｏＳｅ機能が使用されると、ワイヤレスデバイス８１６はまた、固有のリレーＩＤを割り当て得る。固有のリレーＩＤは、後にワイヤレスデバイス８１６がカバレッジを有するエリアに戻ってきたときに使用され得る。カバレッジを有するエリアは、ワイヤレスデバイス８１６が基地局８０２、８１２と直接的に通信することができるエリアを含み得る。
【００６０】
[0068]  図４に例示された例では、複数の関連付けメッセージが可能である。例えば、ワイヤレスデバイス８１６は、（基地局８０２によってサービス提供される）ワイヤレスデバイス８０６および（基地局８１２によってサービス提供される）ワイヤレスデバイス８１４から関連付けメッセージを受信し得る。関連付けメッセージは、リレーＵＥ、例えば、ワイヤレスデバイス８０４、８０６、８０８、８１０、８１４が異なる基地局８０２、８１２によってサービス提供されるときに送られ得る。ワイヤレスデバイス８１６は、リレーのＰＬＭＮ ＩＤ、バックホール品質、Ｄ２Ｄリンク品質、または他の品質要因のうちの１つ以上に基づいてリレーを選択し得る。
【００６１】
[0069]  いくつかの例では、ワイヤレスデバイス８１６は、非選択ワイヤレスデバイス、すなわち、ワイヤレスデバイス８１６のためのリレーとして機能するように選択されない可能性のあるリレー（複数を含む）、を明示的に拒否し得る。したがって、ワイヤレスデバイス８１６は、関連付けメッセージを送信したワイヤレスデバイス８１４がワイヤレスデバイス８１６のためのリレーとなるように選択されないとき、ワイヤレスデバイス８１４にメッセージを送信し得る。
【００６２】
[0070]  他の例では、リレー関連付け要求またはリレーとなるように選択されないワイヤレスデバイス８１４は、単独でタイムアウトし得る。したがって、いくつかの例では、ワイヤレスデバイス８１６は、非選択ワイヤレスデバイス８１４、すなわち、ワイヤレスデバイス８１６のためのリレーとして機能するように選択されない可能性のあるリレー（複数を含む）を明示的に拒否しない。これらケースのいずれかにおいて、ワイヤレスデバイス８１４は、その後、それのサービング基地局へのリレーリンクの中断（Stop）を示すメッセージ（ＳＬＵＥＩｎfo）を送り得る。
【００６３】
[0071]  いくつかの例では、基地局８０２は、リンク品質について定期的に報告するためにワイヤレスデバイス８０６、この例ではリレーＵＥ、を設定（configure）し得る。報告されたリンク品質は、ワイヤレスデバイス８１６とワイヤレスデバイス８０６との間のリンクに関するものであり得る。リンク品質は、ワイヤレスデバイス８０６とワイヤレスデバイス８０２との間のリンクに関するものであり得る。リンク品質は、（リレーＵＥ、ワイヤレスデバイス８０６を通した）基地局８０２とワイヤレスデバイス８１６との間の全体的なリンク品質に関するものであり得る。別の例では、リンク品質は、これら例のいくつかの組み合わせであり得る。ワイヤレスデバイス８０６は、次に、信号を定期的に送信するようワイヤレスデバイス８１６を設定し得る。ワイヤレスデバイス８１６によって定期的に送信された信号は、ＵＥ−リレー間のリンク品質を測定するために使用され得る。信号は、例えば、パイロット信号であり得る。リンク品質の測定は、パイロット信号に基づき得る。いくつかの例では、信号は、リレー検索メッセージの一部であり得る。さらに、パイロット信号は、リレー検索メッセージの一部であり得る。あるいは、パイロット信号は、何らかの他のメッセージまたは信号の一部であり得る。他の例では、そのような設定は、リレー関連付けフェーズ（phase）中に行われ得る。
【００６４】
[0072]  一例では、基地局８０２は、非定期の方法でＵＥ−リレー間のリンク品質を報告するために、ワイヤレスデバイス８１６、リレーＵＥに測定要求を送り得る。ワイヤレスデバイス８１６がＵＥ−リレー間のリンク品質を報告することを要求するメッセージは、専用のシグナリングを使用して送られ得る。別の例では、基地局８０２は、ワイヤレスデバイス８０６だけでなく、ワイヤレスデバイス８１６に現在関連付けられていないワイヤレスデバイス８０４、８０８のような、他の可能性のあるリレーＵＥも設定し得る。
【００６５】
[0073]  いくつかの例では、ワイヤレスデバイス（複数を含む）８０４、８０６、８０８を設定することは、明示的に行われ得る。明示的に設定することは、リレー要請メッセージ（relay solicitation message）をリッスンすることができるリレーを選択することで実行され得る。別の例では、ワイヤレスデバイス（複数を含む）８０４、８０６、８０８を設定することは、黙示的に行われ得る。黙示的な選択は、リレーＵＥが、要請メッセージと同じまたは同様の方法でワイヤレスデバイス８１６から関連するリレー検索メッセージを受信するときに実行され得る。
【００６６】
[0074]  一例では、基地局８０２はまた、図４の例ではリレーＵＥである、ワイヤレスデバイス８０６を介してそれのＵｕリンク品質を定期的に報告するためにワイヤレスデバイス６１６を設定し得る。Ｕｕリンク品質測定は、基地局８０２、８１２とワイヤレスデバイス８０４、８０６、８０８、８１０、８１４、８１６との間のダイレクト通信から、および別のワイヤレスデバイス８０４、８０６、８０８、８１０、８１４、８１６を通した基地局８０２、８１２とワイヤレスデバイス８０４、８０６、８０８、８１０、８１４、８１６との間のリレー通信からのシームレスな遷移を可能にするために使用され得る。遷移は、ダイレクト通信からリレー通信へ、またはリレー通信からダイレクト通信へのものであり得る。いくつかの例では、基地局８０２は、レガシーなプロシージャを介してリレーのＵｕリンクの測定値を使用し得る。
【００６７】
[0075]  いくつかの例では、測定要求、定期的な測定報告設定、または両方に応答して、リレーＵＥであるワイヤレスデバイス８１０は、Ｕｕを介してＤ２Ｄリンク品質およびワイヤレスデバイス８１６のＵＥ ＩＤを基地局に通知するメッセージ（ＳＬＵＥＩｎｆｏ）を基地局に送り得る。別の例では、メッセージ（ＳＬＵＥＩｎｆｏ）はまた、ワイヤレスデバイス８１６のＵｕ品質を含み得る。
【００６８】
[0076]  いくつかの例では、基地局８０２は、１つのリレーＵＥ、例えば、ワイヤレスデバイス８０６から、別のＵＥ、例えば、ワイヤレスデバイス８０４にリレーリンクを移動することを決定するために、または（関連付けられたリレーＵＥを介して）ワイヤレスデバイス８１６にリレー関連付け処理を再開始するよう指示するために測定報告を使用し得る。
【００６９】
[0077]  図５は、異なる通信デバイス間で送られる信号を例示する図９００である。信号は、カバレッジエリアの外側のワイヤレスデバイス、可能性のあるリレーであるワイヤレスデバイス、基地局、またこれらの何らかの組み合わせによって送信および受信され得る。上述したように、カバレッジエリア外のワイヤレスデバイスは、基地局と通信するためにリレーを活用し得る。図５の例において、カバレッジエリア外のワイヤレスデバイスは、カバレッジエリア外のワイヤレスデバイスがリレーデバイス９０２を探していることを知らせるリレー検索メッセージ、例えば、ディスカバリメッセージをブロードキャストする。リレー検索メッセージに基づいて、可能性のあるリレーの各々、リレーであり得るワイヤレスデバイスは、それらの基地局（複数を含む）に通知する９０４。
【００７０】
[0078]  基地局（複数を含む）は、その後、リレー関連付けメッセージ（複数を含む）を送るためにリレー（複数を含む）を選択し得る。リレー関連付けメッセージ（複数を含む）は、カバレッジのエリアの外側のワイヤレスデバイスに送られ得る。通常、１つの基地局につき１つのリレーが、カバレッジエリア外のワイヤレスデバイスの範囲内のリレーのために、カバレッジエリア外のワイヤレスデバイスにリレー関連付けメッセージを送り得る９０６。よって、基地局（複数を含む）は、カバレッジエリア外のワイヤレスデバイスとリレー関連付けプロシージャを開始するよう選択されたワイヤレスデバイス（複数を含む）に通知し得る９０６。可能性のあるリレー（複数を含む）は、カバレッジエリアの外側のワイヤレスデバイスにリレー関連付けメッセージを送信し得る９０８。カバレッジエリア外のワイヤレスデバイスは、リレー関連付けメッセージの１つに肯定的に応答することによって、リレー関連付けメッセージ（複数を含む）に応答し得る９１０。いくつかの例では、カバレッジのエリア外のワイヤレスデバイスは、非選択ワイヤレスデバイスを明示的に拒否し得る９１２。他の例では、リレーとなるように選択されないワイヤレスデバイスは、単独でタイムアウトし得る。より具体的には、それは、タイムアウトするリレー関連付け要求であり得る。
【００７１】
[0079]  いくつかの例では、基地局は、リンク品質について定期的に報告するために選択されたリレーワイヤレスデバイスまたはリレーＵＥを設定し得る９１４。報告されたリンク品質は、リンク９５０、リンク９５２、全体的なリンク（処理デバイスを通した品質におけるあらゆる変化を伴ったリンク９５０およびリンク９５２全体）についてのものであり得る。いくつかの例では、リンク９５０の品質、リンク９５２の品質、全体的なリンク品質（デバイスのいずれかを通した変化を含む）のうちの２つ以上が報告され得る。
【００７２】
[0080]  リレーデバイスは、次に、メッセージを送ることによって定期的に信号を送信するようカバレッジエリアの外側のワイヤレスデバイスを設定し得る９１６。定期的に送信された信号は、ＵＥ−リレー間のリンク品質を測定するために使用され得る。信号は、例えば、パイロット信号であり、リンク品質の測定は、パイロット信号に基づき得る。
【００７３】
[0081]  定期報告のために設定された後、カバレッジエリア（複数を含む）の外側のワイヤレスデバイスおよびリレーデバイスは、基地局にリンク品質を報告し得る９１８、９２０。基地局は、別のデバイスがリレーデバイスとして使用されるべきかどうかを決定するためにこの情報を使用し得る。基地局は、その後、リレーＵＥにリレー関連付けを再開始するよう指示し、リレーＵＥは、カバレッジエリアの外側のＵＥにカバレッジを再開始するよう指示するメッセージを送り得る。
【００７４】
[0082]  ＵＥは、第２のＵＥ−リレー間のリンク品質に応答して基地局からメッセージを受信し得る。メッセージは、第２のＵＥにリレー検索プロシージャを再開始するよう指示し得る９２２。リレー検索プロシージャを再開始することは、別のリレー検索メッセージを送信することを含み得る。
【００７５】
[0083]  さらに、ＵＥは、第２のＵＥにリレー検索プロシージャを再開始するよう指示するメッセージを第２のＵＥに送信し得る９２４。第２のＵＥは、このメッセージに基づく別の検索プロシージャを実行し得る。通常、ＵＥは、規定の閾値以下のように信号品質が低すぎると基地局が決定したとき、第２のＵＥにリレー検索プロシージャを再開始するよう指示するメッセージを第２のＵＥに送信し得る。そのような閾値と比較したリンク品質は、第２のＵＥ−リレー間からのリンク品質、リレーから基地局へのリンク品質、第２のＵＥから基地局へのリンク品質、またはこれらの１つ以上であり得る。
【００７６】
[0084]  図６Ａ−６Ｃは、ワイヤレス通信の方法を例示するフローチャート１０００である。方法は、ＵＥ（例えば、図４のワイヤレスデバイス８０６）によって実行され得る。１００２において、ＵＥ（ワイヤレスデバイス８０６）は、リレー検索メッセージを受信する（９０２）。リレー検索メッセージは、カバレッジエリア８１８、８２０内には存在しない、第２のＵＥ、ワイヤレスデバイス８１６からのものであり得る。さらに、リレー検索メッセージは、ワイヤレス通信ネットワークへの接続を確立するようリレーＵＥ（ワイヤレスデバイス８０６）に要求し得る。接続は、リレーＵＥ、ワイヤレスデバイス８０６を通じるものである。
【００７７】
[0085]  １００４において、ＵＥ、ワイヤレスデバイス８０６は、メッセージを基地局８０２に送信する（９０４）。メッセージは、基地局８０２に第２のＵＥ、ワイヤレスデバイス８１６からのリレー検索メッセージを通知する。基地局は、その後、可能性のあるリレー（基地局８０２についてはワイヤレスデバイス８０６および基地局８１２についてはワイヤレスデバイス８１４）を選択し、可能性のあるリレーにリレーが選択されたことを通知し得る。基地局８０２、８１２はまた、選択されたリレーに選択されたリレーがリレー関連付けプロシージャを実行すべきであると指示し得る。
【００７８】
[0086]  １００６において、ＵＥ、ワイヤレスデバイス８０６、８１４は、基地局８０２、８１２からリレー関連付けプロシージャ開始メッセージを受信する（９０６）。リレー関連付けプロシージャメッセージは、第２のＵＥ、ワイヤレスデバイス８１６とリレー関連付けプロシージャを開始するために、基地局８０２、８１２によって第１のＵＥが選択されたことを第１のＵＥ、ワイヤレスデバイス８０６、８１４に通知し得る。
【００７９】
[0087]  １００８において、ＵＥ、ワイヤレスデバイス８０６、８１４は、リレー関連付けメッセージを第２のＵＥ、ワイヤレスデバイス８１６に送信し得る（９０８）。リレー関連付けメッセージは、第２のＵＥのためのリレーＵＥとなるよう求める要求を含み得る。リレー関連付けメッセージは、特定のデバイス、リレー関連メッセージを送るデバイスが、第２のＵＥのための可能なリレーデバイスとして基地局８０２、８１２によって選択されたと第２のＵＥに通知する。複数のＵＥ、ワイヤレスデバイス８０６、８１４は、リレー関連付けメッセージを、通常、基地局８０２、８１２につき１つ、送信し得る。
【００８０】
[0088]  １０１０において、ＵＥ、ワイヤレスデバイス８０６は、第２のＵＥ、ワイヤレスデバイス８０６から確認応答を受信し得る（９１０）。第２のＵＥからの確認応答は、第２のＵＥがリレーデバイスとして第１のＵＥ、ワイヤレスデバイス８０６を選択したことを示し得る。よって、例えば、図４のワイヤレスデバイス８１６は、ワイヤレスデバイス８０６に確認応答を送り得る。
【００８１】
[0089]  １０１２において、ＵＥ、ワイヤレスデバイス８１４は、第２のＵＥのためのリレーとなるよう求める、第１のＵＥ、ワイヤレスデバイス８１４からの要求を拒否するメッセージを第２のＵＥ、ワイヤレスデバイス８１６から受信し得る（９１２）。このステップは、オプションである。いくつかの例において、第２のＵＥのためのリレーとなるよう求める、第１のＵＥからの要求を拒否するメッセージは第２のＵＥから送られない。
【００８２】
[0090]  １０１４において、ＵＥ、ワイヤレスデバイス８０６は、定期報告を要求するメッセージを基地局８０２から受信する（９１４）。定期報告は、基地局がリレーワイヤレスデバイスを介して通信するワイヤレスデバイスについてのリンク品質を追跡することを可能にする。定期報告は、第２のＵＥ−リレー間からのリンク品質、リレーから基地局へのリンク品質、第２のＵＥから基地局へのリンク品質、またはこれらの１つ以上であり得る。
【００８３】
[0091]  １０１６において、ＵＥは、リンク品質の定期報告を要求するメッセージを第２のＵＥに送信する（９１６）。再び、定期報告は、第２のＵＥ−リレー間からのリンク品質、リレーから基地局へのリンク品質、第２のＵＥから基地局へのリンク品質、またはこれらの１つ以上であり得る。リンク品質は、第２のＵＥ−リレー間のリンク品質の定期報告を要求する基地局からのメッセージに基づき得る。要求は、ＵＥ−リレー間のリンク品質の測定のためにＰｒｏＳｅの定期送信についての要求を含み得る。
【００８４】
[0092]  １０１８において、ＵＥ、ワイヤレスデバイス８０６は、ディスカバリメッセージと同時に基準信号を受信し得る（９１６）。いくつかの例では、メッセージは、ＰｒｏＳｅ測定チャネルと並存する（concurrent）ものであり得る。基準信号またはＰｒｏＳｅ測定チャネルは、信号品質を測定するために使用され得る。
【００８５】
[0093]  １０２０において、ＵＥは、受信された基準信号に基づいて、基準信号受信電力（ＲＳＲＰ）または基準信号受信品質（ＲＳＲＱ）のうちの少なくとも１つを決定し得る。メッセージは、基地局に送信され得る。基地局へのメッセージは、決定されたＲＳＲＰまたはＲＳＲＱのうちの少なくとも１つを含み得る。
【００８６】
[0094]  １０２２において、ＵＥは、第２のＵＥ−リレー間のリンク品質の定期報告を要求する第２のＵＥへのメッセージに応答して、リンク品質に関する情報を含むメッセージを受信し得る（９１８）。上述したように、定期報告は、第２のＵＥ−リレー間からのリンク品質、リレーから基地局へのリンク品質、第２のＵＥから基地局へのリンク品質、またはこれらの１つ以上であり得る。通常、ＵＥと基地局が直接的に通信しているという理由で基地局はＵＥと基地局との間の信号品質を既に知っているため、ＵＥは、第２のＵＥとリレーＵＥとの間のリンク品質に関する情報を含むメッセージを受信し得る。
【００８７】
[0095]  １０２４において、ＵＥは、第２のＵＥから受信された第２のＵＥ−リレー間のリンク品質に関する情報を含むメッセージに基づいて、第２のＵＥ−リレー間のリンク品質のようなリンク品質に関する情報を含むメッセージを基地局に送信し得る（９２０）。しかしながら、上述したように、定期報告は、第２のＵＥ−リレー間からのリンク品質、リレーから基地局へのリンク品質、第２のＵＥから基地局へのリンク品質、またはこれらの１つ以上であり得る。
【００８８】
[0096]  １０２６において、ＵＥは、第２のＵＥ−リレー間のリンク品質に応答して基地局からメッセージを受信し得る。メッセージは、第２のＵＥにリレー検索プロシージャを再開始するよう指示し得る（９２２）。リレー検索プロシージャを再開始することは、別のリレー検索メッセージを送信することを含み得る。
【００８９】
[0097]  １０２８において、ＵＥは、第２のＵＥにリレー検索プロシージャを再開始するよう指示するメッセージを第２のＵＥに送信し得る（９２４）。第２のＵＥは、このメッセージに基づく別の検索プロシージャを実行し得る。通常、ＵＥは、規定の閾値以下のように信号品質が低すぎると基地局が決定したとき、第２のＵＥにリレー検索プロシージャを再開始するよう指示するメッセージを第２のＵＥに送信し得る。そのような閾値と比較したリンク品質は、第２のＵＥ−リレー間からのリンク品質、リレーから基地局へのリンク品質、第２のＵＥから基地局へのリンク品質、またはこれらの１つ以上であり得る。
【００９０】
[0098]  １０３０において、ＵＥは、ＵＥ能力情報メッセージを基地局に送り得る（９２０）。能力情報メッセージは、ＵＥの様々な能力、例えば、このリレーＵＥによって同時にサポートされることができるいくつかのＵＥ、ＭＢＭＳトラフィックをリレーするリレーＵＥの能力、等を基地局に通知し得る。能力情報メッセージは、例えば、第１のＵＥでサポートされるリレー容量または第１のＵＥにおけるＵＥリレー能力のうちの少なくとも１つを示し得る。リレー能力に基づいて、ｅＮＢは、ＲＳＲＰ閾値を設定する、または、リレーＵＥがリレーディスカバリおよび選択を支援するためのディスカバリメッセージの送信をいつ開始しなければならないかを示すために、リレーＵＥにコマンドを送ることができる。このメッセージ（ＲＲＣメッセージであり得る）において、ｅＮＢは、リレーＵＥに、グループＩＤによって表されるある特定のグループのリストのためだけに動作するよう指示することができる。
【００９１】
[0099]  図７は、基地局８０２、８１２においてワイヤレス通信ネットワークにおけるリレー接続を管理する方法を例示する別のフローチャート１１００である。方法は、基地局、ｅＮＢ（例えば、図４の基地局８０２）によって実行され得る。１１０２において、基地局８０２、８１２は、基地局８０２、８１２に第１のＵＥ、例えば、ワイヤレスデバイス８１４からのリレー検索メッセージを通知するメッセージを少なくとも１つのリレーＵＥから受信し得る（９０４）。
【００９２】
[00100]  １１０４において、各基地局８０２、８１２は、リレー関連付けプロシージャを開始するために少なくとも１つのリレーＵＥのうちの１つのリレーＵＥ（例えば、それぞれ、ワイヤレスデバイス８０６、８１４）を選択する。いくつかの例では、選択は、リレーＵＥ、例えば、ワイヤレスデバイス８１６と第１のＵＥ、例えば、ワイヤレスデバイス８１４と間のダイレクトリンク品質、リレーＵＥ、例えば、ワイヤレスデバイス８１４と基地局８０２、８１２との間のアクセスリンク品質、またはリレーＵＥと第１のＵＥ、例えば、ワイヤレスデバイス８１４とのダイレクトリンク品質、リレーＵＥ、例えば、ワイヤレスデバイス８１４と基地局８０２、８１２との間のアクセスリンク品質の組み合わせのうちの少なくとも１つに基づき得る。
【００９３】
[00101]  １１０６において、基地局８０２、８１２は、それぞれ、リレー関連付けプロシージャ開始メッセージを１つのリレーＵＥ、例えば、ワイヤレスデバイス８１４に送信する（９０６）。リレー関連付けプロシージャ開始メッセージは、リレー関連付けプロシージャを開始するために基地局８０２、８１２によって１つのリレーＵＥ、例えば、ワイヤレスデバイス８１４が選択されたことを１つのリレーＵＥ、例えば、ワイヤレスデバイス８１４に通知する。
【００９４】
[00102]  １１０８において、基地局８０２、８１２は、第２のＵＥ−リレー間のリンク品質の定期報告を要求するメッセージを選択されたリレーＵＥ、例えば、ワイヤレスデバイス８１４に送信する（９１４）。いくつかの例では、信号品質は、基地局８０２からリレーとして機能するワイヤレスデバイス８０６へのものであり得る。いくつかの例では、信号品質は、ワイヤレスデバイス８０６からワイヤレスデバイス８１６へのものであり得る。いくつかの例では、信号品質は、ワイヤレスデバイス８０６を通した基地局８０２からワイヤレスデバイス８１６へのものであり得る。
【００９５】
[00103]  １１１０において、基地局８０２、８１２は、第２のＵＥ−リレー間のリンク品質の要求された定期報告を受信する（９２０）。品質情報は、例えば、使用されるリレーが変更されるべきかどうかを決定する等、様々な目的なのために使用され得る。
【００９６】
[00104]  １１１２において、基地局８０２、８１２は、第２のＵＥ−リレー間のリンク品質の要求された定期報告を通じて決定された信号品質に基づいて、別のリレーＵＥ、例えば、ワイヤレスデバイス８１４に第２のＵＥのためのリレーが移動されるべきかどうかを決定する。その後、基地局８０２、８１２は、リレーＵＥ、例えば、ワイヤレスデバイス８１４に再開始するよう指示し得る（９２２）。
【００９７】
[00105]  図８は、例示的な装置１２０２における異なる手段／コンポーネント間でのデータフローを例示する概念的なデータフロー図１２００である。装置は、ＵＥまたはｅＮＢであり得る。装置は、様々なメッセージを受信し得るコンポーネント１２０４を含む。メッセージは、データメッセージおよび基準信号を含み得る。コンポーネント１２０４は、リレー検索メッセージ、リレー関連付けプロシージャ開始メッセージ、確認応答、要求を拒否するＵＥからのメッセージ、基準信号、ディスカバリメッセージ、定期報告を要求するメッセージ、リンク品質に関する情報を含むメッセージ、またはリンク品質の指示に応答するメッセージ、ＰｒｏＳｅ測定チャネルメッセージを受信し得る。装置はまた、様々なメッセージを送信し得るコンポーネント１２０６を含む。メッセージは、基地局にＵＥからのリレー検索メッセージを通知するメッセージ、リレー関連付けメッセージ、ＵＥ能力情報を送るメッセージ、リレー検索プロシージャを再開始するよう指示するメッセージ、決定されたＲＳＲＰまたはＲＳＲＱのうちの少なくとも１つを含むＵＥ−リレー間のリンク品質に関する情報を含むメッセージ、リレー検索プロシージャを再開始するよう指示するメッセージ、またはＵＥ−リレー間のリンク品質の測定のためにＰｒｏＳｅチャネルの定期的な送信を要求する第２のＵＥへのメッセージを含み得る。メッセージ品質決定コンポーネント１２０８は、メッセージ品質に関する様々な決定を下し得る。例えば、決定コンポーネントは、受信コンポーネント１２０４によって受信され、決定コンポーネント１２０８にパスされ得る、受信された基準信号に基づいてＲＳＲＰまたはＲＳＲＱのうちの少なくとも１つを決定し得る。コンポーネント１２０８は、コンポーネント１２０８によってなされた決定、例えば、受信された基準信号に基づいてＲＳＲＰまたはＲＳＲＱのうちの少なくとも１つの決定に関連しているＲＳＲＰおよび／またはＲＳＲＱのようなデータをコンポーネント１２０６に送り得る。コンポーネント１２０４は、コンポーネント１２０６にメッセージデータを送り得る。例えば、コンポーネント１２０４は、受信されたデータが送信され得るようにコンポーネント１２０６に受信されたデータを送り得る。
【００９８】
[00106]  装置は、図６Ａ−６Ｃおよび８の前述のフローチャートにおけるアルゴリズムのブロックの各々を実行する更なるコンポーネントを含み得る。したがって、図６Ａ−６Ｃおよび８の前述のフローチャートにおける各ブロックは、コンポーネントによって実行され得、装置はこれらのコンポーネントのうちの１つ以上を含み得る。コンポーネントは、述べられたプロセス／アルゴリズムを実施するように特に構成された１つ以上のハードウェアコンポーネントであるか、述べられたプロセス／アルゴリズムを実行するように構成されたプロセッサによって実現されるか、プロセッサによる実現のためにコンピュータ可読媒体内に記憶されるか、またはこれらの何らかの組み合わせであり得る。
【００９９】
[00107]  図９は、処理システム１３１４を用いる装置１２０２のためのハードウェア実現の一例を例示する図１３００である。処理システム１３１４は、概してバス１３２４によって表される、バスアーキテクチャを用いて実現され得る。バス１３２４は、処理システム１３１４の特定のアプリケーションおよび全体的な設計制約に依存して、任意の数の相互接続バスおよびブリッジを含み得る。バス１３２４は、プロセッサ１３０４、コンポーネント１２０４、１２０６、１２０８、およびコンピュータ可読媒体／メモリ１３０６によって表される、１つ以上のプロセッサおよび／またはハードウェアコンポーネントを含む様々な回路を互いにリンクさせる。バス１３２４はまた、タイミングソース、周辺機器、電圧レギュレータ、および電力管理回路のような様々な他の回路をリンクさせ得るが、これらは当該技術分野において周知であるため、これ以上は説明されない。
【０１００】
[00108]  処理システム１３１４は、トランシーバ１３１０に結合され得る。トランシーバ１３１０は、１つ以上のアンテナ１３２０に結合される。トランシーバ１３１０は、送信媒体を介して様々な他の装置と通信するための手段を提供する。トランシーバ１３１０は、１つ以上のアンテナ１３２０から信号を受信し、受信された信号から情報を抽出し、処理システム１３１４に抽出された情報を提供し、特に、受信コンポーネントは、リレーＵＥを通じてワイヤレス通信ネットワークへの接続を確立するようリレーＵＥに要求するリレー検索メッセージを第２のＵＥから受信し、基地局からリレー関連付けプロシージャ開始メッセージを受信し、リレー関連付けプロシージャ開始メッセージは、第２のＵＥとリレー関連付けプロシージャを開始するために第１のＵＥが基地局によって選択されたことを第１のＵＥに通知する、または基地局に第１のＵＥからのリレー検索メッセージを通知するメッセージを少なくとも１つのリレーＵＥから受信する。
【０１０１】
[00109]  さらに、トランシーバ１３１０は、処理システム１３１４から情報を受信し、特に、送信コンポーネントは、基地局に第２のＵＥからのリレー検索メッセージを通知するメッセージを基地局に送信し、第２のＵＥのためのリレーＵＥとなるよう求める要求を含むリレー関連付けメッセージを第２のＵＥに送信し、またはリレー関連付けプロシージャ開始メッセージを１つのリレーＵＥに送信することができ、リレー関連付けプロシージャ開始メッセージは、受信された情報に基づき、リレー関連付けプロシージャを開始するために基地局によって１つのリレーＵＥが選択されたことを１つのリレーＵＥに通知し、トランシーバ１３１０は、１つ以上のアンテナ１３２０に適用されるべき信号を生成する。処理システム１３１４は、コンピュータ可読媒体／メモリ１３０６に結合されたプロセッサ１３０４を含む。プロセッサ１３０４は、コンピュータ可読媒体／メモリ１３０６に記憶されたソフトウェアの実行を含む、一般的な処理を担う。ソフトウェアは、プロセッサ１３０４によって実行されたとき、処理システム１３１４に、任意の特定の装置に関して上記に説明された様々な機能を実行させる。プロセッサ１３０４は、リレー関連付けプロシージャを開始するために少なくとも１つのリレーＵＥのうちの１つのリレーＵＥを選択し得る。コンピュータ可読媒体／メモリ１３０６はまた、ソフトウェアを実行するとき、プロセッサ１３０４によって操作されるデータを記憶するために使用され得る。処理システム１３１４はさらに、コンポーネント１２０４、１２０６、１２０８のうちの少なくとも１つを含む。コンポーネントは、プロセッサ１３０４において実行中の、コンピュータ可読媒体／メモリ１３０６中に存在する／記憶されたソフトウェアコンポーネント、プロセッサ１３０４に結合された１つ以上のハードウェアコンポーネント、またはこれらの何らかの組み合わせであり得る。処理システム１３１４は、ｅＮＢ３１０のコンポーネントであり得、メモリ３７６および／またはＴＸプロセッサ３１６、ＲＸプロセッサ３７０、およびコントローラ／プロセッサ３７５のうちの少なくとも１つを含み得る。処理システム１３１４は、ＵＥ３５０のコンポーネントであり得、メモリ３６０および／またはＴＸプロセッサ３６８、ＲＸプロセッサ３５６、およびコントローラ／プロセッサ３５９のうちの少なくとも１つを含み得る。
【０１０２】
[00110]  一構成では、ワイヤレス通信のための装置１２０２は、リレーＵＥを通じてワイヤレス通信ネットワークへの接続を確立するようリレーＵＥに要求するリレー検索メッセージを第２のＵＥから受信するための手段を含む。さらに、ワイヤレス通信のための装置１２０２は、基地局に第２のＵＥからのリレー検索メッセージを通知するメッセージを基地局に送信するための手段を含む。さらに、ワイヤレス通信のための装置１２０２は、基地局からリレー関連付けプロシージャ開始メッセージを受信するための手段を含む。また、ワイヤレス通信のための装置１２０２は、第２のＵＥのためのリレーＵＥとなるよう求める要求を含むリレー関連付けメッセージを第２のＵＥに送信するための手段を含み得る。
【０１０３】
[00111]  一構成では、ワイヤレス通信のための装置１２０２は、第１のＵＥでサポートされるリレー容量または第１のＵＥにおけるＵＥリレー能力のうちの少なくとも１つを示すＵＥ能力情報メッセージを基地局に送るための手段を含み得る。一構成では、ワイヤレス通信のための装置１２０２は、第２のＵＥがリレーデバイスとして第１のＵＥを選択したことを示す確認応答を第２のＵＥから受信するための手段を含み得る。一構成では、ワイヤレス通信のための装置１２０２は、第２のＵＥのためのリレーとなるよう求める、第１のＵＥからの要求を拒否するメッセージを第２のＵＥから受信するための手段を含み得る。一構成では、ワイヤレス通信のための装置１２０２は、ディスカバリメッセージと同時に基準信号を受信するための手段と、受信された基準信号に基づいてＲＳＲＰまたはＲＳＲＱのうちの少なくとも１つを決定するための手段と、を含み得る。一構成では、ワイヤレス通信のための装置１２０２は、第２のＵＥ−リレー間のリンクの品質の定期報告を要求するメッセージを基地局から受信するための手段と、第２のＵＥ−リレー間のリンクの品質の定期報告を要求する基地局からのメッセージに基づいて、第２のＵＥ−リレー間のリンクの品質の定期報告を要求するメッセージを第２のＵＥに送信するための手段と、を含み得る。一構成では、ワイヤレス通信のための装置１２０２は、第２のＵＥ−リレー間のリンク品質の定期報告を要求する第２のＵＥへのメッセージに応答して、第２のＵＥから第２のＵＥ−リレー間のリンク品質に関する情報を含むメッセージを受信するための手段と、第２のＵＥから受信された第２のＵＥ−リレー間のリンク品質に関する情報を含むメッセージに基づいて、第２のＵＥ−リレー間のリンク品質に関する情報を含むメッセージを基地局に送信するための手段と、を含み得る。一構成では、ワイヤレス通信のための装置１２０２は、リレー検索プロシージャを再開始するよう第２のＵＥに指示するメッセージを第２のＵＥ−リレー間のリンク品質に応答して基地局から受信するための手段を含み得る。一構成では、ワイヤレス通信のための装置１２０２は、第２のＵＥに、リレー検索プロシージャを再開始するようそれに指示するメッセージを送信するための手段を含み得る。一構成では、ワイヤレス通信のための装置１２０２は、ＰｒｏＳｅ測定チャネルと同時に基準信号を受信するための手段を含み得る。一構成では、ワイヤレス通信のための装置１２０２は、受信された基準信号に基づいてＲＳＲＰまたはＲＳＲＱのうちの少なくとも１つを決定するための手段を含み得る。一構成では、ワイヤレス通信のための装置１２０２は、決定されたＲＳＲＰまたはＲＳＲＱのうちの少なくとも１つを含む第２のＵＥ−リレー間のリンク品質に関する情報を含むメッセージを基地局に送信するための手段を含み得る。一構成では、ワイヤレス通信のための装置１２０２は、リレー検索プロシージャを再開始するよう第２のＵＥに指示するメッセージを第２のＵＥ−リレー間のリンク品質に応答して基地局から受信するための手段を含み得る。一構成では、ワイヤレス通信のための装置１２０２は、第２のＵＥに、リレー検索プロシージャを再開始するようそれに指示するメッセージを送信するための手段を含み得る。
【０１０４】
[00112]  前述の手段は、前述の手段によって記載された機能を実行するように構成された装置１２０２の前述のコンポーネントのうちの１つ以上であり得る。上記に説明されたように、処理システム１３１４は、ＴＸプロセッサ３１６、ＲＸプロセッサ３７０、およびコントローラ／プロセッサ３７５を含み得る。したがって、一構成では、前述の手段は、前述の手段によって記載された機能を実行するよう構成されたＴＸプロセッサ３１６、ＲＸプロセッサ３７０、およびコントローラ／プロセッサ３７５であり得る。
【０１０５】
[00113]  一構成では、ワイヤレス通信のための装置１２０２は、基地局に第１のＵＥからのリレー検索メッセージを通知するメッセージを少なくとも１つのリレーＵＥから受信するための手段を含む。さらに、ワイヤレス通信のための装置１２０２は、リレー関連付けプロシージャを開始するために少なくとも１つのリレーＵＥのうちの１つのリレーＵＥを選択するための手段を含む。さらに、ワイヤレス通信のための装置１２０２は、リレー関連付けプロシージャ開始メッセージを１つのリレーＵＥに送信するための手段を含む。
【０１０６】
[00114]  一構成では、ワイヤレス通信のための装置１２０２は、第２のＵＥ−リレー間のリンク品質の定期報告を要求するメッセージを選択されたリレーＵＥに送信するための手段を含み得る。一構成では、ワイヤレス通信のための装置１２０２は、第２のＵＥ−リレー間のリンク品質の要求された定期報告を受信するための手段を含み得る。一構成では、ワイヤレス通信のための装置１２０２は、第２のＵＥ−リレー間のリンク品質の要求された定期報告に基づいて、第２のＵＥのためのリレーが別のリレーＵＥに移動されるべきかどうかを決定するための手段を含み得る。前述の手段は、前述の手段によって記載された機能を実行するように構成された装置１２０２の前述のコンポーネントのうちの１つ以上であり得る。上記に説明されたように、処理システム１３１４は、ＴＸプロセッサ３６８、ＲＸプロセッサ３５６、およびコントローラ／プロセッサ３５９を含み得る。したがって、一構成では、前述の手段は、前述の手段によって記載された機能を実行するよう構成されたＴＸプロセッサ３６８、ＲＸプロセッサ３５６、およびコントローラ／プロセッサ３５９であり得る。いくつかの例では、プロセッサ１３０４は、決定コンポーネント１２０８を実現し得る。
【０１０７】
[00115]  開示されたプロセス／フローチャートにおけるブロックの特定の順序または階層は例示的なアプローチの例示であるということが理解される。設計の選好に基づいて、プロセス／フローチャートにおけるステップの特定の順序または階層は再配置され得るということが理解される。さらに、いくつかのステップは、組み合わされ得るか、または省略され得る。添付の方法の請求項は、サンプルの順序において、様々なブロックの要素を提示し、提示された特定の順序または階層に限定されるようには意図されない。
【０１０８】
[00116]  先の説明は、いかなる当業者であっても、本明細書で説明された様々な態様を実施することを可能にするように提供される。これらの態様への様々な修正は、当業者にとって容易に明らかとなり、本明細書で定義された一般的な原理は、他の態様に適用され得る。したがって、特許請求の範囲は、本明細書に示された態様に限定されることを意図するものではなく、特許請求の範囲における文言と一致する全範囲を付与されるべきものであり、単数形での要素への言及は、そうであるとの明確な記載がない限り、「１つ、および１つのみ」を意味することは意図せず、「１つ以上」を意味するものとする。「例示的」という用語は、本明細書では、「例、実例、または例示としての役割を果たす」という意味で使用され得る。「例示的な」ものとして、本明細書に説明された任意の態様は、他の態様に対して好ましいまたは有利なものとして必ずしも解釈されるべきではない。そうではないと明確に記載されていない限り、用語「いくつかの」は、１つ以上を意味する。「Ａ、Ｂ、またはＣのうちの少なくとも１つ」、「Ａ、Ｂ、またはＣの１つ以上」、「Ａ、Ｂ、およびＣのうちの少なくとも１つ」、「Ａ、Ｂ、およびＣの１つ以上」、および「Ａ、Ｂ、Ｃ、またはこれらの任意の組み合わせ」のような組み合わせは、Ａ、Ｂ、および／またはＣの任意の組み合わせを含み、複数のＡ、複数のＢ、または、複数のＣを含み得る。特に、「Ａ、Ｂ、またはＣのうちの少なくとも１つ」、「Ａ、Ｂ、またはＣの１つ以上」、「Ａ、Ｂ、およびＣのうちの少なくとも１つ」、「Ａ、Ｂ、およびＣの１つ以上」、および「Ａ、Ｂ、Ｃ、またはこれらの任意の組み合わせ」のような組み合わせは、Ａのみ、Ｂのみ、Ｃのみ、ＡとＢ、ＡとＣ、ＢとＣ、またはＡとＢとＣであり、ここで、このような任意の組み合わせが、Ａ、Ｂ、またはＣのメンバーあるいは１つ以上のメンバーを含み得る。当業者には既知の、または後に既知となる本開示の全体にわたって説明された様々な態様の要素に対する全ての構造的および機能的な均等物は、参照により本明細書に明確に組み込まれ、特許請求の範囲により包含されるように意図されている。さらに、本明細書で開示されたものはいずれも、そのような開示が特許請求の範囲において明示的に記載されているかどうかにかかわらず、公共に捧げられるように意図されていない。「モジュール」、「機構」、「要素」、「デバイス」等の用語は、「手段」という用語の代わりとなるものではない。よって、要素が「〜のための手段」という表現を使用して明記されていない限り、どの請求項の要素もミーンズプラスファンクションとして解釈されるべきではない。
以下に本願の出願当初の特許請求の範囲に記載された発明を付記する。
［Ｃ１］
第１の（ＵＥ）においてワイヤレス通信ネットワークにおけるリレーデバイスを通したリレー接続を管理する方法であって、
リレーＵＥに、前記リレーＵＥを通じて前記ワイヤレス通信ネットワークへの接続を確立するよう要求するリレー検索メッセージを第２のＵＥから受信することと、
基地局に、前記第２のＵＥからの前記リレー検索メッセージを前記基地局に通知するメッセージを送信することと、
リレー関連付けプロシージャ開始メッセージを前記基地局から受信することと、前記リレー関連付けプロシージャ開始メッセージは、前記第２のＵＥとリレー関連付けプロシージャを開始するために前記基地局によって前記第１のＵＥが選択されたことを前記第１のＵＥに通知する、
を備える、方法。
［Ｃ２］
前記第２のＵＥのための前記リレーＵＥとなるよう求める要求を含むリレー関連付けメッセージを前記第２のＵＥに送信することをさらに備える、Ｃ１に記載の方法。
［Ｃ３］
前記第１のＵＥでサポートされるリレー容量または前記第１のＵＥにおけるＵＥリレー能力のうちの少なくとも１つを示すＵＥ能力情報メッセージを前記基地局に送ることをさらに備え、前記リレー容量は、同時にサポートされることができるいくつかのＵＥのうちの少なくとも１つまたはＭＢＭＳトラフィックリレーをサポートする能力を含む、Ｃ１に記載の方法。
［Ｃ４］
前記第２のＵＥが前記第１のＵＥを前記リレーデバイスとして選択したことを示す確認応答を前記第２のＵＥから受信することをさらに備える、Ｃ１に記載の方法。
［Ｃ５］
前記第２のＵＥのための前記リレーとなるよう求める、前記第１のＵＥからの前記要求を拒否するメッセージを前記第２のＵＥから受信することをさらに備える、Ｃ１に記載の方法。
［Ｃ６］
前記第２のＵＥからの前記リレー検索メッセージは、ＰｒｏＳｅダイレクトディスカバリメッセージであり、少なくとも第２のＵＥの識別情報（ＩＤ）を含み、前記基地局への前記メッセージは、前記第２のＵＥ ＩＤを備える、Ｃ１に記載の方法。
［Ｃ７］
前記ディスカバリメッセージと同時に基準信号を受信することと、
前記受信された基準信号に基づいて、基準信号受信電力（ＲＳＲＰ）または基準信号受信品質（ＲＳＲＱ）のうちの少なくとも１つを決定することと、
をさらに備え、前記基地局への前記メッセージは、前記決定されたＲＳＲＰまたはＲＳＲＱのうちの少なくとも１つを備える、Ｃ６に記載の方法。
［Ｃ８］
前記基地局への前記メッセージは、前記第１のＵＥと前記基地局との間のアクセスリンクに関連付けられたリンク品質のインジケーションをさらに含む、Ｃ７に記載の方法。
［Ｃ９］
前記リレー関連付けプロシージャメッセージは、無線リソース制御（ＲＲＣ）メッセージを備え、前記ＲＲＣメッセージは、ＰｒｏＳｅチャネル上で前記リレー関連付けプロシージャを開始するよう前記第１のＵＥに指示し、前記ＲＲＣメッセージは、固有のリレーＩＤまたは定期報告情報のうちの少なくとも１つを含む、Ｃ１に記載の方法。
［Ｃ１０］
第２のＵＥ−リレー間のリンク品質の定期報告を要求するメッセージを前記基地局から受信することと、第２のＵＥ−リレー間のリンク品質の定期報告を要求する前記基地局からの前記メッセージに基づいて、第２のＵＥ−リレー間のリンク品質の定期報告を要求するメッセージを前記第２のＵＥに送信することと、をさらに備える、Ｃ１に記載の方法。
［Ｃ１１］
第２のＵＥ−リレー間のリンク品質の定期報告を要求する前記第２のＵＥへの前記メッセージに応答して、前記第２のＵＥから第２のＵＥ−リレー間のリンク品質に関する情報を含むメッセージを受信することと、前記第２のＵＥから受信された第２のＵＥ−リレー間のリンク品質に関する情報を含む前記メッセージに基づいて、第２のＵＥ−リレー間のリンク品質に関する情報を含むメッセージを前記基地局に送信することと、をさらに備える、Ｃ１０に記載の方法。
［Ｃ１２］
別のリレー検索メッセージを送信することを含む、リレー検索プロシージャを再開始するよう前記第２のＵＥに指示するメッセージを前記第２のＵＥ−リレー間のリンク品質に応答して前記基地局から受信することと、
前記第２のＵＥに、前記リレー検索プロシージャを再開始するようそれに指示するメッセージを送信することと、
をさらに備える、Ｃ１１に記載の方法。
［Ｃ１３］
ＰｒｏＳｅ測定チャネルと同時に基準信号を受信することと、
前記受信された基準信号に基づいてＲＳＲＰまたはＲＳＲＱのうちの少なくとも１つを決定することと、
前記決定されたＲＳＲＰまたはＲＳＲＱのうちの少なくとも１つを含む第２のＵＥ−リレー間のリンク品質に関する情報を含むメッセージを前記基地局に送信することと、
をさらに備える、Ｃ１２に記載の方法。
［Ｃ１４］
前記リレー検索プロシージャを再開始するよう前記第２のＵＥに指示するメッセージを前記第２のＵＥ−リレー間のリンク品質に応答して前記基地局から受信することと、
前記第２のＵＥに、前記リレー検索プロシージャを再開始するようそれに指示するメッセージを送信することと、
をさらに備える、Ｃ１３に記載の方法。
［Ｃ１５］
前記メッセージは、アクセスリンク（Ｕｕ）上で送信される、Ｃ１に記載の方法。
［Ｃ１６］
第２のＵＥ−リレー間のリンク品質の定期報告を要求するメッセージを前記基地局から受信することと、前記ＵＥ−リレー間のリンク品質の測定のためにＰｒｏＳｅチャネルの定期送信を要求するメッセージを前記第２のＵＥに送信することと、をさらに備える、Ｃ１に記載の方法。
［Ｃ１７］
基地局においてワイヤレス通信ネットワークにおけるリレー接続を管理する方法であって、
前記基地局に第１のＵＥからのリレー検索メッセージを通知するメッセージを少なくとも１つのリレーＵＥから受信することと、
リレー関連付けプロシージャを開始するために前記少なくとも１つのリレーＵＥのうちの１つのリレーＵＥを選択することと、
を備える、方法。
［Ｃ１８］
リレー関連付けプロシージャ開始メッセージを前記１つのリレーＵＥに送信することをさらに備え、前記リレー関連付けプロシージャ開始メッセージは、リレー関連付けプロシージャを開始するために前記基地局によって前記１つのリレーＵＥが選択されたことを前記１つのリレーＵＥに通知する、Ｃ１７に記載の方法。
［Ｃ１９］
第２のＵＥ−リレー間のリンク品質の定期報告を要求するメッセージを前記選択されたリレーＵＥに送信することと、
第２のＵＥ−リレー間のリンク品質の前記要求された定期報告を受信することと、
前記第２のＵＥ−リレー間のリンク品質の前記要求された定期報告に基づいて、前記第２のＵＥのためのリレーが別のリレーＵＥに移動されるべきかどうかを決定することと、
をさらに備える、Ｃ１７に記載の方法。
［Ｃ２０］
前記選択は、前記リレーＵＥと前記基地局との間のアクセスリンク品質または前記リレーＵＥと第１のＵＥとの間のダイレクトリンク品質のうちの少なくとも１つに基づく、Ｃ１７に記載の方法。
［Ｃ２１］
第１のＵＥにおいてワイヤレス通信ネットワークにおけるリレーデバイスを通したリレー接続を管理するための装置であって、
メモリと、
前記メモリに結合された少なくとも１つのプロセッサと、
を備え、前記少なくとも１つのプロセッサは、
リレーＵＥに、前記リレーＵＥを通じて前記ワイヤレス通信ネットワークへの接続を確立するよう要求するリレー検索メッセージを第２のＵＥから受信することと、
基地局に、前記第２のＵＥからの前記リレー検索メッセージを前記基地局に通知するメッセージを送信することと、
リレー関連付けプロシージャ開始メッセージを前記基地局から受信することと、前記リレー関連付けプロシージャ開始メッセージは、前記第２のＵＥとリレー関連付けプロシージャを開始するために前記基地局によって前記第１のＵＥが選択されたことを前記第１のＵＥに通知する、
を行うように構成される、装置。
［Ｃ２２］
前記少なくとも１つのプロセッサは、前記第２のＵＥのための前記リレーＵＥとなるよう求める要求を含むリレー関連付けメッセージを前記第２のＵＥに送信するようにさらに構成される、Ｃ２１に記載の装置。
［Ｃ２３］
前記少なくとも１つのプロセッサは、前記第１のＵＥでサポートされるリレー容量または前記第１のＵＥにおけるＵＥリレー能力のうちの少なくとも１つを示すＵＥ能力情報メッセージを前記基地局に送るようにさらに構成され、前記リレー容量は、同時にサポートされることができるいくつかのＵＥのうちの少なくとも１つまたはＭＢＭＳトラフィックリレーをサポートする能力を含む、Ｃ２１に記載の装置。
［Ｃ２４］
前記少なくとも１つのプロセッサは、前記第２のＵＥが前記第１のＵＥを前記リレーデバイスとして選択したことを示す確認応答を前記第２のＵＥから受信するようにさらに構成される、Ｃ２１に記載の装置。
［Ｃ２５］
前記少なくとも１つのプロセッサは、前記第２のＵＥのための前記リレーとなるよう求める、前記第１のＵＥからの前記要求を拒否するメッセージを前記第２のＵＥから受信するようにさらに構成される、Ｃ２１に記載の装置。
［Ｃ２６］
前記第２のＵＥからの前記リレー検索メッセージは、ＰｒｏＳｅダイレクトディスカバリメッセージであり、少なくとも第２のＵＥのＩＤを含み、前記基地局への前記メッセージは、前記第２のＵＥ ＩＤを備える、Ｃ２１に記載の装置。
［Ｃ２７］
前記少なくとも１つのプロセッサは、
ディスカバリメッセージと同時に基準信号を受信することと、
前記受信された基準信号に基づいてＲＳＲＰまたはＲＳＲＱのうちの少なくとも１つを決定することと
を行うようにさらに構成され、前記基地局への前記メッセージは、前記決定されたＲＳＲＰまたはＲＳＲＱのうちの少なくとも１つを備える、Ｃ２１に記載の装置。
［Ｃ２８］
前記基地局への前記メッセージは、前記第１のＵＥと前記基地局との間のアクセスリンクに関連付けられたリンク品質のインジケーションをさらに含む、Ｃ２７に記載の装置。
［Ｃ２９］
前記少なくとも１つのプロセッサは、第２のＵＥ−リレー間のリンク品質の定期報告を要求するメッセージを前記基地局から受信することと、第２のＵＥ−リレー間のリンク品質の定期報告を要求する前記基地局からの前記メッセージに基づいて、第２のＵＥ−リレー間のリンク品質の定期報告を要求するメッセージを前記第２のＵＥに送信することと、を行うようにさらに構成される、Ｃ２１に記載の装置。
［Ｃ３０］
第１のユーザ機器（ＵＥ）においてワイヤレス通信ネットワークにおけるリレーデバイスを通したリレー接続を管理するための装置であって、
メモリと、
前記メモリに結合された少なくとも１つのプロセッサと、
を備え、前記少なくとも１つのプロセッサは、
基地局に第１のＵＥからのリレー検索メッセージを通知するメッセージを少なくとも１つのリレーユーザ機器（ＵＥ）から受信することと、
リレー関連付けプロシージャを開始するために前記少なくとも１つのリレーＵＥのうちの１つのリレーＵＥを選択することと、
を行うように構成される、装置。
【図１】
0006668378.tif 000002
【図２Ａ】
0006668378.tif 000003
【図２Ｂ】
0006668378.tif 000004
【図２Ｃ】
0006668378.tif 000005
【図２Ｄ】
0006668378.tif 000006
【図３】
0006668378.tif 000007
【図４】
0006668378.tif 000008
【図５】
0006668378.tif 000009
【図６Ａ】
0006668378.tif 000010
【図６Ｂ】
0006668378.tif 000011
【図６Ｃ】
0006668378.tif 000012
【図７】
0006668378.tif 000013
【図８】
0006668378.tif 000014
【図９】
0006668378.tif 000015